(57)【要約】光ディスクは、音楽情報などの多重記録再生に好適なＲＯＭ部とＲＡＭ部の記録構造を有する。光ディスクは、光反射率を利用した位相ピットで情報が記録されたＲＯＭ部と、記録及び再生可能なＲＡＭ部とが層状に配置され、ＲＯＭ部に記録された情報とＲＡＭ部に記録された情報が同期再生される。ＲＡＭ部はＲＯＭ部と同期再生可能な複数の情報記録エリアに分割されている。ＲＯＭ部の音楽情報の再生しながらＲＡＭ部に別々の楽器演奏等による音楽情報を多重記録し、必要に応じて多重再生する。
2005052938.tif 000002
【特許請求の範囲】
【請求項１】
光反射率を利用した位相ピットで情報が記録されたＲＯＭ部と、記録及び再生可能なＲＡＭ部とが層状に配置され、前記ＲＯＭ部に記録された情報と前記ＲＡＭ部に記録された情報が同期再生される光ディスクに於いて、
前記ＲＡＭ部は前記ＲＯＭ部と同期再生可能な複数の情報記録エリアに分割されていることを特徴とする光ディスク。
【請求項２】
光反射率を利用した位相ピットで情報が記録されたＲＯＭ部と、記録及び再生可能なＲＡＭ部とが層状に配置され、ＲＯＭ部に記録された情報とＲＡＭ部に記録された情報が同期再生される光ディスクに於いて、
前記ＲＯＭ部は前記ＲＡＭ部と同期再生可能な複数の情報記録エリアに分割されていることを特徴とする光ディスク。
【請求項３】
請求の範囲１の光ディスクに於いて、前記情報記録エリアは、一定の時間長さの情報量を有する少なくとも一区切りのＲＯＭ部と、前記ＲＯＭ部の時間長さに等しい情報量を有する少なくとも二区切りのＲＡＭ部を単位とする構造であることを特徴とする光ディスク。
【請求項４】
請求の範囲２の光ディスクに於いて、前記情報記録エリアは、一定の時間長さの情報量を有する少なくとも二区切りのＲＯＭ部、前記ＲＯＭ部の時間長さに等しい情報量を有する少なくとも一区切りのＲＡＭ部を単位とする構造であることを特徴とする光ディスク。
【請求項５】
請求の範囲１又は２の光ディスクに於いて、前記ＲＡＭ部及びＲＯＭ部が重畳配置されていることを特徴とする光ディスク。
【請求項６】
請求の範囲５の光ディスクに於いて、前記ＲＡＭ部が光磁気記録膜であることを特徴とする光ディスク。
【請求項７】
請求の範囲１又は２の光ディスクに於いて、前記各ＲＯＭ部及びＲＡＭ部に記録された情報を合成する際に使用されるミクシング情報を記録する領域を媒体上に備えたことを特徴とする光ディスク。
【請求項８】
請求の範囲７の光ディスクに於いて、前記ミクシング情報が前記情報記録エリア以外のＲＡＭ部に記録されることを特徴とする光ディスク。
【請求項９】
反射率を利用した位相ピットで情報が記録されたＲＯＭ部と、光により記録及び再生可能なＲＡＭ部とが媒体上の異なる位置に配置された円盤状の光ディスクに於いて、
前記ＲＡＭ部は前記ＲＯＭ部と同期再生可能な複数の情報記録エリアに分割されていることを特徴とする光ディスク。
【請求項１０】
請求の範囲９の光ディスクに於いて、前記情報記録エリアは、各分割された前記ＲＡＭ部の一定の時間長さの合計が前記ＲＯＭ部の時間長さに略同じであることを特徴とする光ディスク。
【請求項１１】
請求の範囲９の光ディスクに於いて、各分割された前記ＲＡＭ部のミクシング情報が媒体上に記録されていることを特徴とする光ディスクる
【請求項１２】
反射率を利用した位相ピットで情報が記録されたＲＯＭ部と、記録及び再生可能なＲＡＭ部とが媒体上の異なる位置に配置された円盤状の多重光ディスクに於いて、
前記ＲＯＭ部は前記ＲＡＭ部と同期再生可能な複数の情報記録エリアに分割されていることを特徴とする光ディスク。
【請求項１３】
請求の範囲１２の光ディスクに於いて、前記情報記録エリアは、各分割された前記ＲＯＭ部の一定の時間長さの合計が前記ＲＡＭ部の時間長さに略同じであることを特徴とする光ディスク。
【請求項１４】
請求の範囲１２の光ディスクに於いて、各分割された前記ＲＯＭ部のミクシング情報が媒体上に記録されていることを特徴とする光ディスク。
【請求項１５】
請求の範囲９又は１２の光ディスクに於いて、前記ＲＯＭ部及びＲＡＭ部が円周方向に繰り返し配置されていることを特徴とする光ディスク。
【請求項１６】
請求の範囲９又は１２の光ディスクに於いて、前記ＲＡＭ部が相変化記録膜から形成されていることを特徴とする光ディスク。
【請求項１７】
請求の範囲９又は１２の光ディスクに於いて、前記ミクシング情報が前記情報記録エリア以外のＲＡＭ部に記録されることを特徴とする光ディスク。
【請求項１８】
請求の範囲１、２、９又は１２の光ディスクに於いて、前記ＲＯＭ部に音楽情報が記録され、前記ＲＡＭ部に前記ＲＯＭ部の音楽情報に同期した他の音楽情報が記録されていることを特徴とする光ディスク。
【請求項１９】
光反射率を利用した位相ピットで情報が予め記録されたＲＯＭ部と、記録及び再生可能なＲＡＭ部とが層状に配置され、前記ＲＡＭ部が前記ＲＯＭ部と同期再生可能な複数の情報記録エリアに分割された光ディスクの情報を記録再生する記録再生装置に於いて、
前記ＲＡＭ部の各情報記録エリア単位にＲＡＭ情報を記録する記録部と、
前記ＲＯＭ部のＲＯＭ情報と前記ＲＡＭ部の各ＲＡＭ情報を読出し、読み出されたＲＯＭ情報と１又は複数のＲＡＭ情報を同期合成して再生する再生部と、
を有することを特徴とする記録再生装置。
【請求項２０】
光反射率を利用した位相ピットで情報が記録されたＲＯＭ部と、記録及び再生可能なＲＡＭ部とが層状に配置され、前記ＲＯＭ部が前記ＲＡＭ部と同期再生可能な複数の情報記録エリアに分割されて予めＲＯＭ情報が記録された光ディスクの情報を記録再生する記録再生装置に於いて、
前記ＲＡＭ部にＲＡＭ情報を記録する記録部と、
前記ＲＯＭ部の各ＲＯＭ情報と前記ＲＡＭ部のＲＡＭ情報を読出し、読み出されたＲＡＭ情報と１又は複数のＲＯＭ情報を同期合成して再生する再生部と、
を有することを特徴とする記録再生装置。
【請求項２１】
反射率を利用した位相ピットで情報が予め記録されたＲＯＭ部と、記録及び再生可能なＲＡＭ部とが媒体上の異なる位置に配置され、前記ＲＡＭ部が前記ＲＯＭ部と同期再生可能な複数の情報記録エリアに分割された光ディスク記録再生装置に於いて、
前記ＲＯＭ部のＲＯＭ情報と前記ＲＡＭ部の各ＲＡＭ情報を検出する情報検出部と、
前記情報検出部で検出されたＲＯＭ情報と１又は複数のＲＡＭ情報を同期合成して再生する再生部と、
を有することを特徴とする記録再生装置。
【請求項２２】
反射率を利用した位相ピットで情報が予め記録されたＲＯＭ部と、記録及び再生可能なＲＡＭ部とが媒体上の異なる位置に配置され、前記ＲＯＭ部が前記ＲＡＭ部と同期再生可能な複数の情報記録エリアに分割された光ディスク記録再生装置に於いて、
前記ＲＡＭ部にＲＡＭ情報を記録する記録部と、
前記ＲＯＭ部のＲＯＭ情報と前記ＲＡＭ部の各ＲＡＭ情報を読出し、読み出されたＲＡＭ情報と１又は複数のＲＯＭ情報を同期合成して再生する再生部と、
を有することを特徴とする記録再生装置。
【発明の詳細な説明】
【技術分野】  本発明は、光反射率を利用した位相ピットで情報が記録されたＲＯＭ部と光磁気的に記録再生可能なＲＡＭ部を有する光ディスク及び記録再生装置に関し、特に、情報が多重記録されたＲＡＭ部とＲＯＭ部を同期再生可能な光ディスク及び記録再生装置に関する。
【背景技術】  従来、一般ユーザーが音楽を聞くための媒体としては、ＣＤ（Ｃｏｍｐａｃｔ  Ｄｉｓｃ）が一般に広く普及している。また、デジタルオーディオデータを記録再生する装置として、光磁気媒体を使ったＭＤ（Ｍｉｎｉ  Ｄｉｓｃ）システムなどが普及している。なお、ＭＤシステムではＣＤに収められている音楽を録音再生することが可能である。
このように従来の音楽の聞き方は、ＣＤのように予め音楽情報がＲＯＭとして記録された媒体を購入してそれを聞くか、あるいはＭＤ等に好みの音楽を録音して聞くという楽しみ方が一般的である。
もう一つの音楽の楽しみ方は自分で楽器を演奏することである。楽器の演奏を録音して再生するには、ＭＤ等の録音可能な装置に外部マイクを取り付けて演奏を生で録音し再生する。この場合、自分の演奏のみを単独で録音することになる。しかしながら、ほとんどの音楽はオーケストラとかバンドのように様々な楽器が別々のパートを演奏することにより成り立っている。したがって、個々の演奏者が個人でオーケストラとかバンドのパートを演奏するためには、例えばＣＤを聞きながら楽器の演奏をすることも可能であるが、その演奏を記録するには別途録音用の装置を準備する必要があり、さらに演奏と同時に録音用の装置を操作しなければならず、煩雑であった。また例えばＣＤを再生しながら、それに合わせて楽器を演奏し、外部入力マイク等で録音する方法では、ＣＤ再生と演奏の音量バランスの調整が困難であるために品質の良い音楽を記録することが極めて難しかった。
以上のような音楽記録上の問題点を改善するには多重録音が行われる。多重録音では複数の録音トラックをもつ光ディスクのトラック毎に別々の音楽を記録する。つまり一つ目のトラックに予め音楽を録音しておき、その音を再生して聞きながら別のトラックに音を重ねて記録する。例えばはじめにピアノを録音し、次にそのピアノの音を聴きながらギターを録音することによりピアノとギターを同時再生可能となる。このように複数トラックで再生しながら記録する、あるいは複数トラックの音楽を同時再生するためには、高速かつ大容量な記憶装置が必要であり、主にハードディスクが用いられている。
しかしながら、ハードディスクを利用した多重記録システムは音楽の製作が目的であるため高度な編集が必要とされ、複雑な操作が要求される。この結果、ハードディスクを使用した多重録音システムは限られた一部で利用されてはいるが一般的には普及していない。また磁気ディスクは光ディスクの位相ピットのようなＲＯＭ部がないため、予め音楽を記録しておくためには１枚毎に音楽を磁気的に記録する必要があり、製作コストが上昇するという問題もある。
ハードディスクに比べて簡単で扱いやすい媒体としてＭＤ（Ｍｉｎｉ  Ｄｉｓｋ）を使用した多重録音システムも実現されている。ＭＤを使うことで媒体は安価となるが、複数トラックに順番にユーザーが音楽を記録しなればならないという点はハードディスクを使用した装置と同じである。このため出荷時に予め音楽情報を記録するには、やはりハードディスクの場合と同じように１枚毎に光磁気記録しなければならず、媒体コストが上昇してしまう。また、複数トラックにした分だけ記録容量が低下するという問題もある。したがって、従来の記録用ＭＤによる多重録音システムも一部の専門家に使用されてはいるが一般的には普及していない。以上のように一部の専門家を除けば、これまでの音楽の楽しみ方は音楽を聴く、楽器を単独で演奏する、単独の演奏を録音再生するの３つに限られている。
一方、１枚の媒体にＲＯＭ部とＲＡＭ部を設けたコンカレントＲＯＭ／ＲＡＭ方式の光ディスクは、一部の専門家に限られていた多重録音、同時再生機能を安価に実現させる可能性を秘めている。例えば位相ピットによるＲＯＭ部に予め記録されている音楽あるいは画像情報に同期させて同じ位置に別の音楽あるいは画像情報をＲＡＭ部に記録する方法が提案されている（特許文献１）。また、パーシャルＲＯＭ方式を用いて分割記録された音楽情報を時間的に同期再生する方法も提案されている（特許文献２，３）。いずれの提案も音楽情報の時間的な同期に関する方法でありミクシング時の出力比、あるいは波形調整については不明である。
【特許文献１】：特開平０７−０６５３７５号公報
【特許文献２】：特開平０５−１５１７５８号公報
【特許文献３】：特開平１１−０７７２９４号公報
音楽情報を多重記録再生する際には、各音楽情報の時間的な同期も必要であるが、それと同時にミクシングする際の各音楽情報の出力比あるいは波形調整も重要である。出力比あるいは波形調整なしのミクシングでは十分な品質で音楽を聴くことが極めて困難である。一般に各音楽情報の最適な出力比あるいは波形調整量は、記録時に予測して決定することは困難であり、記録後の再生時に自由に設定できることが好ましい。しかもその設定は各音楽コンテンツ固有の条件であるから個々の情報媒体に記録されていることが好ましい。そこで本願発明者にあっては、ＲＯＭ部とＲＡＭ部を有する光ディスクの同期記録再生におけるミクシング方法を提案している。このミクシング方法は、単一のＲＯＭ情報に対して一つのＲＡＭ情報をミクシング記録再生することを前提としている。
しかしながら、実際のミクシング記録では１回だけの記録では不十分であることが多い。例えば音楽演奏をＲＯＭに同期して記録する場合でも、通常は１回の記録で満足できるとは限らない。数回の演奏により各演奏を比較することもある。また、複数の楽器を使ったマルチトラック記録を行うことも考えられる。またＲＯＭ部についても同様に複数種類の演奏あるいは映像を記録しておけば選択肢が増える。
【発明の開示】
本発明は、音楽情報などの多重記録再生に好適なＲＯＭ部とＲＡＭ部の記録構造を備えた光ディスク及び記録再生装置を提供することを目的とする。
本発明は、光反射率を利用した位相ピットで情報が記録されたＲＯＭ部と、記録及び再生可能なＲＡＭ部とが層状に配置され、ＲＯＭ部に記録された情報とＲＡＭ部に記録された情報が同期再生される光ディスクであって、ＲＡＭ部がＲＯＭ部と同期再生可能な複数の情報記録エリアに分割されていることを特徴とする。
このような本発明の光ディスクによれば、ＲＯＭ部にはＲＯＭ情報として例えば楽器の演奏パート以外のドラム、ベース、ギター、コーラス、ボーカルなどの音楽情報を予め記録しておき、楽器の演奏はＲＯＭ部に記録された音楽情報を聞きながらそれに合わせて行う。そして音楽ＲＯＭ情報の再生と同時に楽器の演奏を同じ光ディスクのＲＡＭ部に同期記録する。この場合、楽器を変えたり、同じ楽器の演奏を繰り返すなどして別々のＲＡＭ部に同期記録できる。同期記録が済んだ後は、ＲＯＭ部及び１又は複数のＲＡＭ部に多重記録した音楽情報を同期再生して合成出力する多重再生が簡単にできる。その結果、これまで一部の専門家に限られていた多重録音機能を手軽に安価に実現することが可能となる。
また本発明の別の形態にあっては、光反射率を利用した位相ピットで情報が記録されたＲＯＭ部と、記録及び再生可能なＲＡＭ部とが層状に配置され、ＲＯＭ部に記録された情報とＲＡＭ部に記録された情報が同期再生される光ディスクであって、逆に、ＲＯＭ部がＲＡＭ部と同期再生可能な複数の情報記録エリアに分割されていることを特徴とする。
光ディスクの情報記録エリアは、ＲＡＭ部がＲＯＭ部と同期再生可能な複数の情報記録エリアに分割されている場合、一定の時間長さの情報量を有する少なくとも一区切りのＲＯＭ部と、ＲＯＭ部の時間長さに等しい情報量を有する少なくとも二区切りのＲＡＭ部を単位とする構造である。
また前記情報記録エリアは、ＲＯＭ部がＲＡＭ部と同期再生可能な複数の情報記録エリアに分割されている場合、一定の時間長さの情報量を有する少なくとも二区切りのＲＯＭ部、ＲＯＭ部の時間長さに等しい情報量を有する少なくとも一区切りのＲＡＭ部を単位とする構造である。
光ディスクにおけるＲＡＭ部及びＲＯＭ部が重畳配置されている。ＲＡＭ部が光磁気記録膜である。更に、各ＲＯＭ部及びＲＡＭ部に記録された情報を合成する際に使用されるミクシング情報を記録する領域を媒体上に備える。ミクシング情報が前記情報記録エリア以外のＲＡＭ部に記録される。
本発明の別の形態にあっては、反射率を利用した位相ピットで情報が記録されたＲＯＭ部と、光により記録及び再生可能なＲＡＭ部とが媒体上の異なる位置に配置された円盤状の光ディスクに於いて、ＲＡＭ部がＲＯＭ部と同期再生可能な複数の情報記録エリアに分割されていることを特徴とする。
ここで情報記録エリアは、各分割されたＲＡＭ部の一定の時間長さの合計がＲＯＭ部の時間長さに略同じである。また、各分割されたＲＡＭ部のミクシング情報が媒体上に記録されている。
本発明の別の形態にあっては、反射率を利用した位相ピットで情報が記録されたＲＯＭ部と、光により記録及び再生可能なＲＡＭ部とが媒体上の異なる位置に配置された円盤状の多重光ディスクに於いて、逆にＲＯＭ部がＲＡＭ部と同期再生可能な複数の情報記録エリアに分割されていることを特徴とする。
ここで、情報記録エリアは、各分割されたＲＯＭ部の一定の時間長さの合計がＲＡＭ部の時間長さに略同じである。また各分割されたＲＯＭ部のミクシング情報が媒体上に記録されている。ＲＯＭ部及びＲＡＭ部が円周方向に繰り返し配置されている。ＲＡＭ部が相変化記録膜から形成されている。ミクシング情報が情報記録エリア以外のＲＡＭ部に記録される。
本発明の光ディスクは、ＲＯＭ部に音楽情報が記録され、ＲＡＭ部にＲＯＭ部の音楽情報に同期した他の音楽情報が記録されている。
本発明は、光反射率を利用した位相ピットで情報が記録されたＲＯＭ部と、記録及び再生可能なＲＡＭ部とが層状に配置され、ＲＡＭ部がＲＯＭ部と同期再生可能な複数の情報記録エリアに分割された光ディスクの情報を記録再生する記録再生装置を提供する。
この記録再生装置は、ＲＯＭ部のＲＯＭ情報とＲＡＭ部の各ＲＡＭ情報を検出する情報検出部と、情報検出部で検出されたＲＯＭ情報と１又は複数のＲＡＭ情報を同期合成して再生する再生部とを有することを特徴とする。
本発明の別の装置形態にあっては、光反射率を利用した位相ピットで情報が記録されたＲＯＭ部と、記録及び再生可能なＲＡＭ部とが層状に配置され、ＲＯＭ部がＲＡＭ部と同期再生可能な複数の情報記録エリアに分割された光ディスクの情報を記録再生する記録再生装置を提供する。この記録再生装置は、ＲＯＭ部の各ＲＯＭ情報とＲＡＭ部のＲＡＭ情報を検出する情報検出部と、情報検出部で検出されたＲＡＭ情報と１又は複数のＲＯＭ情報を同期合成して再生する再生部とを有することを特徴とする。
本発明の別の装置形態にあっては、反射率を利用した位相ピットで情報が記録されたＲＯＭ部と、記録及び再生可能なＲＡＭ部とが媒体上の異なる位置に配置され、ＲＡＭ部がＲＯＭ部と同期再生可能な複数の情報記録エリアに分割された光ディスクの記録再生装置に於いて、ＲＯＭ部のＲＯＭ情報とＲＡＭ部の各ＲＡＭ情報を検出する情報検出部と、情報検出部で検出されたＲＯＭ情報と１又は複数のＲＡＭ情報を同期合成して再生する再生部とを有することを特徴とする。
更に本発明の別の装置形態にあっては、反射率を利用した位相ピットで情報が記録されたＲＯＭ部と、記録及び再生可能なＲＡＭ部とが媒体上の異なる位置に配置され、ＲＯＭ部がＲＡＭ部と同期再生可能な複数の情報記録エリアに分割された光ディスク記録再生装置に於いて、ＲＯＭ部の各ＲＯＭ情報とＲＡＭ部のＲＡＭ情報を検出する情報検出部と、情報検出部で検出されたＲＡＭ情報と１又は複数のＲＯＭ情報を同期合成して再生する再生部とを有することを特徴とする。
【図面の簡単な説明】図１は本発明の光ディスク及び記録再生装置を用いた多重記録再生システムの説明図；
図２は図１の記録再生装置の説明図；
図３は本発明による光ディスクの構造説明図；
図４は本発明の光ディスクにおけるＲＯＭ信号とＲＡＭ信号の多重記録状態の説明図；
図５は本発明の光ディスクにおける記録領域の説明図；
図６はＲＡＭ部がＲＯＭ部と同期再生可能な３つの記録情報エリアに分割された本発明の光ディスクにおける記録構造の説明図；
図７は図６に基づく具体的に媒体フォーマットの説明図；
図８は本発明の光ディスクでミクシング情報を記録するＴＯＣ領域の説明図；
図９は図６のＴＯＣ領域の媒体フォーマットの説明図；
図１０は本発明による記録再生装置のブロック図；
図１１はＲＯＭ部がＲＡＭ部と同期再生可能な３つの記録情報エリアに分割された本発明の光ディスクにおける記録構造の説明図；
図１２はＲＡＭ部が２つのＲＯＭ部と同期再生可能な３つの記録情報エリアに分割された本発明の光ディスクにおける記録構造の説明図；
図１３は円周方向についてＲＡＭ部がＲＯＭ部と同期再生可能な３つの記録情報エリアに分割された本発明の光ディスクにおける記録構造の説明図；
図１４はＲＡＭ部とＲＯＭ部を内周側と外周側に分割した本発明の光ディスクの説明図；
図１５はＲＡＭ部とＲＯＭ部を円周方向に分割した本発明の光ディスクの説明図；
図１６はＲＯＭ部とＲＡＭ部の多重記録構造を媒体厚み方向で二重化した本発明の光ディスクの説明図；
【発明を実施するための最良の形態】  図１は、本発明の光ディスク及び記録再生装置を用いた音楽用の多重記録再生システムの説明図である。
図１において、本発明の記録再生装置１０に対しては記録媒体としての光ディスク１２が使用され、記録再生装置１０のスロットから光ディスク１２を挿入することで記録再生を行うことができる。本発明の光ディスク１２は、光反射率を利用した位相ピットで予め情報が記録されたＲＯＭ部と、記録及び再生可能なＲＡＭ部とが、媒体厚み方向に層状に配置され、ＲＯＭ部に記録された情報とＲＡＭ部に記録された情報を同期再生することが可能であり、更に本発明にあっては、１つのＲＯＭ部に対応したＲＡＭ部がＲＯＭ部と同期再生可能な複数の情報記憶エリアに分割されていることを特徴とする。
図１の多重記録再生システムは、記録再生装置１０に対し例えばギター１６、マイク１８を入力接続すると共に、スピーカ２０を出力接続しており、ギター１６以外にピアノ１４を配置しており、ピアノ１４の音はマイク１８から入力するようにしている。即ち、ギター１６の音は直接、電気信号に変換されて記録再生装置１０に与えられ、ピアノ１４からの音はマイク１８により電気信号に変換されて記録再生装置１０に入力され、それぞれＡＤ変換器によりデジタル信号に変換された後に光ディスク１２に記録される。このとき光ディスク１２のＲＯＭ部に予め記録されている音楽情報をスピーカ２０から出力させる。スピーカ２０から出力されるＲＯＭ部の音楽情報としては、例えば楽器の演奏パート以外のドラム、ベース、ギター、コーラス、ボーカルなどのバンド演奏でもよいし、あるいはオーケストラの演奏でもよく、更には一定間隔のリズムを刻む音であってもよい。いずれにしてもギター１６やピアノ１４といった楽器の演奏は、光ディスク１２のＲＯＭ部に記録された音楽情報をスピーカ２０で再生し、それを聞きながら演奏し、ＲＯＭ部に対応した複数のＲＡＭ部の情報記録エリアのいずれかに録音する。
光ディスク１２のＲＯＭ部に対応した複数の情報記録エリアに分割されたＲＡＭ部に対する音楽情報の記録は、ギター１６やピアノ１４の音楽信号を別々に記録してもよいし、あるいはギター１６といった同じ楽器の演奏を数回繰り返して別々に同期記録することも可能である。もちろん、ギター１６のように演奏の電気信号を直接、記録再生装置１０に入力する複数の楽器について同時に演奏して、ＲＯＭ部に対応したＲＡＭ部の各情報記録エリアに別々に記録することも可能である。ここで、記録再生装置１０からの出力信号をスピーカ２０に送って再生しているが、スピーカ２０で再生した場合にはマイク１８などで音を拾う可能性があることから、このような場合にはヘッドフォンなどの出力機器を使用すればよい。また光ディスク１２からの音楽情報の再生は、ＲＡＭ部に記録情報がない場合にはＲＯＭ部の予め記録された音楽情報の再生出力のみを行うものであるが、一旦、ギター１６やピアノ１４による演奏情報がＲＡＭ部に記録された場合には、ＲＯＭ部とＲＡＭ部の各音楽情報を読み出して信号を合成した後にスピーカ２０から出力することもできる。もちろんスピーカ２０としては、外部スピーカのみならず、記録再生装置１０そのものにスピーカを内蔵してもよい。
図２は、図１の本発明による記録再生装置の説明図である。図２において、記録再生装置１０は、前面に光ディスク１２の投入排出を行うスロット１１を備えており、スロット１１から光ディスク１２を投入することで音楽情報の記録再生が可能となる。記録再生装置１０には、多重記録再生のための操作部として、曲ナンバー選択部２２、ミクシングＯＮ／ＯＦＦ釦２４、音量比調整釦２６、ＲＡＭ音質調整釦２８、ＲＯＭ音質調整釦３０、決定釦３２及びミクシングトラック選択釦３４が設けられている。また、この例では、記録再生装置に対し２台のスピーカ２０−１，２０−２を接続し、音楽情報のステレオ再生を可能としている。
図２における本発明の記録再生装置１０の各操作部は、光ディスク１２に対し図１に示したような楽器を使用して複数の音楽情報の多重記録を行った後のミクシング操作に利用される。例えば、多重録音の済んだ光ディスク１２を記録再生装置１０にローディングした状態でミクシングＯＮ／ＯＦＦ釦２４を操作してミクシングＯＮとした後に、曲ナンバー選択部２２により特定の曲を選択し、これによりミクシング状態が有効となり、音量比調整釦２６、ＲＡＭ音質調整釦２８及びＲＯＭ音質調整釦３０が可能となる。
この状態で、光ディスク１２に多重録音されているＲＯＭ部とＲＡＭ部の再生により、ミクシングされた音楽がスピーカ２０−１，２０−２から出力される。このためユーザーは、再生音楽を聴きながらＲＡＭ音質調整釦２８及びＲＯＭ音質調整釦３０を操作し、好みの条件に調整する。調整ができたならば決定釦３２を押すことにより、調整された音量比、音質の各情報が装置内のＴＯＣ（テーブル・オブ・コンテンツ）メモリに記録され、曲の再生が終了すると、光ディスク１２に予め設けられているＴＯＣエリアにミクシングの設定条件の情報が記録される。また、再生時にミクシングトラック選択釦３４を選択することで、ＲＯＭに対応した複数領域に分割されているＲＡＭ部の情報記録エリアのいずれか１つを選択して、これによってミクシング対象とする記録済みの音楽情報を選択することができる。
図３は、本発明による光ディスクの構造説明図である。図３（Ａ）は本発明による光ディスク１２の外観を示しており、媒体記録面に編集またはスパイラル方向に記録トラックが形成されている。図３（Ｂ）は、光ディスク１２の半径方向断面の一部となる１２ａの部分を取り出している。光ディスク１２は、透明基板３６の上部に光反射率を利用した位相ピット４５により情報が記録されたＲＯＭ部を備えており、この位相ピット４５の記録面の上には、保護コート４６が形成されている。
図３（Ｃ）は、図３（Ｂ）の透明基板３６に形成された位相ピット４５の部分を、半径方向の断面について媒体構造を拡大して示した説明図である。図３（Ｃ）において、光ディスク１２は、レーザ光５２が入射する側に透明基板３６を配置し、透明基板３６に続いてＲＡＭ部４８とＲＯＭ部５０を層状に形成し、その上に保護コート４６を設けている。このＲＡＭ部４８及びＲＯＭ部５０の構造の詳細は、透明基板３６に続いて誘電体膜３８、光磁気記録膜４０、誘電体膜４２を設けることでＲＡＭ部４８を形成し、続いて反射膜４４を設けることでＲＯＭ部５０を形成し、更に保護コード４６を設けている。透明基板３６はポリカーボネートまたはアモルファスポリオリフィンなどを材料とし、透明基板３６の表面には成型によりＲＯＭ部を構成する図３（Ｂ）に示すような位相ピット４５が形成されている。この透明基板３６をスパッタ装置に導入し、ＲＡＭ部４８を成膜する。この成膜は、透明基板３６の位相ピット形成面に対し、まずＳｉＮなどの誘電体膜３８を成膜し、次にＴｂＦｅＣｏなどの光磁気記録膜４０を成膜し、続いてＳｉＮなどの誘電体膜４２を成膜し、最後に反射膜４４を成膜する。
このようなＲＡＭ部４８とＲＯＭ部５０を層状に形成した光ディスク１２に対し、透明基板３６側からレーザ光５２を照射すると、ＲＯＭ部５０の位相ピットによる反射率の変化とＲＡＭ部４８に形成した光磁気記録膜４０による記録または再生を同時に行うことができる。
図４は、本発明の光ディスク１２におけるＲＯＭ信号とＲＡＭ信号の多重記録状態の説明図であり、図３（Ｂ）の位相ピット４５を下側から見た状態で表している。図４において、光ディスクの円周方向に位相ピットを形成する凹凸の記録が物理的に行われており、これがＲＯＭ信号５２となる。このようなＲＯＭ信号５２の位相ピットに対し、その下側に図３（Ｃ）に示したように光磁気記録膜４０が形成されていることから、ここに例えば磁気マークとしてのＲＡＭ信号５４が記録されることになる。ここでＲＡＭ信号５４の記録時のタイミング検出のためにＲＯＭ信号５２のデータを利用する場合、ＲＡＭ信号５４のマーク長はＲＯＭ信号のｎ倍（但しｎ＝１，２，３，…となる任意の整数）とすればよい。
図５は、本発明の光ディスク１２における記録領域の説明図である。この例では、光ディスク１２上のＮ曲目の記録領域５６とＮ＋ｋ曲目の記録領域５８を示しており、各記録領域５６，５８にあってはＲＯＭ部に対しＲＡＭ部が複数の情報記録エリアに分割されている。
図６は本発明の光ディスクにおいて、ＲＯＭ部に対しＲＡＭ部が同期再生可能な３つの記録情報エリアに分割された場合の記録構造、即ち記録フォーマットの説明図である。図６は３つのＲＯＭ部６４，６６，６８を取り出している。ＲＯＭ部６４は３つのＲＡＭ部７０，７２，７４となる記録情報エリアに分割され、ＲＯＭ部６６もＲＡＭ部７６，７８，８０となる３つの記録情報エリアに分割され、更にＲＯＭ部６８もＲＡＭ部８２，８４，８６の３つの記録情報エリアに分割されている。このため、例えばＲＯＭ部６４を例にとると、ＲＯＭ部６４の情報を再生する際に、これに同期して３つのＲＡＭ部７０，７２，７４に対する情報の記録または情報の再生を同期的に行うことができる。
図７は、図６に基づく本発明の光ディスク１２における具体的な媒体フォーマットの説明図である。図７（Ａ）はＲＯＭ部８８であり、セクタの先頭を識別するためのセクタ同期信号９０、セクタごとの番地を示すセクタアドレス９２、ＲＯＭデータ部９４から構成されている。更にＲＯＭデータ部９４にはセクタ内の分割位置を示すアドレス１０２，１０４が形成され、セクタ内をサーボセクタ９６，９８，１００に分割している。一方、図７（Ｂ）のＲＡＭ部１０６については、図７（Ａ）のＲＯＭ部８８による１つのＲＯＭセクタに対し同期記録再生可能な３つのＲＡＭセクタに分割する例を示していることから、ＲＯＭ部８８のセクタアドレス９２、アドレス１０２，１０４に対応してＲＡＭ部１０６の分割ＲＡＭセクタ１０８，１１０，１１２の先頭にフラグ１１４，１１６，１１８を設け、分割ＲＡＭセクタが記録済みであるか否かを示すようにしている。このようなＲＯＭ部８８のＲＯＭデータ部９４とＲＡＭ部１０６の各分割ＲＡＭセクタ１０８，１１０，１１２に対しては、時間長さが同じ音楽情報が記録されることから、ＲＯＭデータ部９４については予め音楽情報を非圧縮で位相ピットにより固定記録しておき、これに対し分割ＲＡＭセクタ１０８，１１０，１１２に対しては、同じ時間長さの音楽情報に対し、これを圧縮することで３分の１の時間長さとし、３つの圧縮された音楽データの合計時間とＲＯＭデータ部９４の時間とを同一時間とする記録を行う。
図８は、本発明の光ディスク１２でミクシング情報を記録するＴＯＣ領域の説明図である。この実施形態の光ディスク１２にあっては、図３（Ｃ）に示したような構造のＲＡＭ部４８とＲＯＭ部５０を持つデータ領域６０に対し、例えばその内周側にＲＡＭ部のみの構造を持つＴＯＣ領域６２を設けている。ＴＯＣ領域６２には、データ領域６０に記録された各音楽情報についての音量比、音質、波形調整情報などのミクシング情報が記録されている。このミクシング情報は、１つのＲＯＭ部に対しＲＡＭ部が複数に分割されていることから、各分割されたＲＡＭ部ごとに記録している音楽情報のミクシング情報が独立に記録される。
図９は、図８のＴＯＣ領域における媒体フォーマットの説明図である。この図９のＴＯＣ領域は図７のデータ領域に対応している。図９において、ＴＯＣ領域は、図９（Ａ）のＲＯＭ−ＴＯＣ部１１４と図９（Ｂ）のＲＡＭ−ＴＯＣ部１３０から構成されている。ＲＯＭ−ＴＯＣ部１１４については、曲数１２０、コンテンツアドレス１２２、曲名１２４、時間１２６及びＲＡＭ分割数１２８が記録されている。このＲＯＭ−ＴＯＣ部１１４は固定情報であることから、ＴＯＣ領域における位相ピットとして形成する。図９（Ｂ）のＲＡＭ−ＴＯＣ部１３０は、分割ＲＡＭセクタに分けてＲＡＭミクシング情報１３１，１３２，１３４を設け、ここに音量比、音質、波形調整情報などのミクシング情報を記録する。またＲＡＭ記録情報１３６が設けられ、記録済みの分割ＲＡＭセクタと未記録の分割ＲＡＭセクタの状態を記録している。
図１０は、本発明による記録再生装置の実施形態を示したブロック図である。
図１０において、スピンドルモータ１３８に対しては、図示しないローディング及びアンローディング機構により外部から挿入された光ディスク１２が装着され、一定速度で回転される。スピンドルモータ１３８は回転制御回路１４０により制御され、この回転制御はクロック生成回路１６０からのクロックに基づき、例えばＣＬＶ制御（線速度一定制御）が行われる。光ディスク１２に対する記録再生のヘッドとして、この実施形態では光ヘッド１４２と磁気ヘッド１４４を備え、ＲＡＭ部については光ヘッド１４２によるレーザ光のＤＣ連続光の照射状態で磁気ヘッド１４４からの磁気マークを記録し、また、光ディスク１２のＲＯＭ部及びＲＡＭ部の同期再生については光ヘッド１４２からのレーザ光のＤＣ連続光による再生を行なう。このような光ヘッド１４２と磁気ヘッド１４４からなるヘッド構成については、例えばテレビジョン学会Ｖｏｌ．４６  Ｎｏ．１０  １３１９〜１３２４頁（１９９２）に記載されている構成を用いることができる。このようなヘッド構成により光ディスク１２の位相ピットからなるＲＡＭ信号と、光磁気記録膜に形成された磁気マークの分離同時読出しが可能となる。光ディスク１２に情報を記録するための記録部は、データ圧縮回路１４６、記録メモリ１４８、記録データ処理回路１５０及び記録ドライバ１５２で構成される。一方、光ディスク１２のＲＯＭ部及びＲＡＭ部の情報を同期再生する再生部は、ＲＯＭ再生アンプ１５４、ＲＯＭ再生データ処理回路１５６、ＲＯＭバッファメモリ１５８、ＲＡＭ再生アンプ１６２、ＲＡＭ再生データ処理回路１６４、データ伸張回路１６６、第１バッファメモリ１６８、第２バッファメモリ１７０、第３バッファメモリ１７２及びミクシング回路１７４で構成される。更に、これら記録部及び再生部を制御するためＭＰＵなどのファームウェアを用いた制御回路１７６が設けられ、制御回路１７６に対しては操作部１７８と表示部１８０が設けられ、更にＴＯＣメモリ１８２を接続している。
次に図１０の記録再生装置につき、光ディスク１２のＲＯＭ部とＲＡＭ部の同期再生の動作を説明する。ユーザが操作部１７８を使用して曲を選択すると、選択した曲のアドレスに対応する位置に光ヘッド１４２が移動し、ＲＯＭ部とＲＡＭ部の記録情報が分離されて読み出される。光ヘッド１４２により分離して読み出されたＲＯＭ部とＲＡＭ部の読出信号は、それぞれＲＯＭ再生アンプ１５４とＲＡＭ再生アンプ１６２で増幅及び波形成形された後に２値化され、ＲＯＭ再生データ処理回路１５６とＲＡＭ再生データ処理回路１６４に入力される。ＲＯＭ再生データ処理回路１５６とＲＡＭ再生データ処理回路１６４は、２値化された再生信号に対し、例えば８−１４変調（ＥＦＭ）に対する復調を行った後にエラー訂正動作を行って、ＲＯＭデータ及びＲＡＭデータを出力する。ここで、ＲＯＭ再生データ処理回路１５６はＲＯＭデータのセクタアドレス信号を分離し、制御回路１７６に供給する。制御回路１７６はセクタアドレス信号を受けて光ディスク１２上の光ヘッド１４２の位置を認識すると共に、図示しない光学ヘッド移動機構を用いて光ヘッドを目標位置に移動させるトラッキング制御を行う。またＲＯＭ再生アンプ１５４の出力はクロック生成回路１６０に供給され、ＣＬＶによる回転制御のためのクロックを回転制御回路１４０に供給すると共に、記録タイミングのためのクロックを記録ドライバ回路１５２に供給する。ＲＯＭ再生データ処理回路１５６で復調されたＲＯＭデータは、ＲＯＭバッファメモリ１５８に供給される。ここで、分割された３つのＲＡＭ部に対応して３つのバッファメモリ１６８，１７０，１７２が設けられている。ＲＡＭ再生データ処理回路１６４は、３つのＲＡＭ部のそれぞれから復調されたＲＡＭ圧縮データをデータ伸張回路１６６で元に戻す伸張処理を行った後、各ＲＡＭ部に対応して設けた第１，第２，第３バッファメモリ１６８，１７０，１７２のそれぞれに供給する。ＲＯＭバッファメモリ１５８に格納されたＲＯＭデータ及び第１，第２，第３バッファメモリ１６８，１７０，１７２に格納された各ＲＡＭデータは、ＴＯＣメモリ１８２に記録されたミクシング条件に従った制御回路１７６の指示に従いミクシング回路１７４で合成され、外部に出力され、スピーカやヘッドフォンなどの出力機器から再生音楽を出力する。
次に図１０の本発明の記憶再生装置において光ディスク１２のＲＯＭ部の再生と同期したＲＡＭに対する記録動作について説明する。例えば図１の多重記録再生システムに示したようにユーザが光ディスク１２のＲＯＭ部に記録されている音楽情報を再生しながらギター１６を演奏して、ＲＡＭに同期記録するような場合である。このようなＲＯＭ部と同期したＲＡＭの記録にあっては、光ヘッド１４２及び磁気ヘッド１４４が光ディスク１２の選曲された位置に位置決め制御された後に記録再生動作が同時に行なわれる。再生動作にあっては光ヘット１４２により光ディスク１２の選曲されたＲＯＭ部のＲＡＭデータが読み出され、ＲＯＭ再生アンプ１５４で増幅制御された後、ＲＯＭ再生データ処理回路１５６で復調され、ＲＯＭバッファメモリ１５８に格納された後にミクシング回路１７４を介して、外部のスピーカ類に再生される。この時、制御回路１７６にあっては録音であることからＲＡＭ部の復調データとのミクシングは行なわれていない。このようなＲＯＭ部の再生による音楽収録を聞きながらユーザがギターを演奏し、ギター演奏による入力信号がＡＤ変換された後に、データ圧縮回路１４６により圧縮され、記録メモリ１４８に供給される。ここで光ディスク１２のＲＯＭ部との再生により検出されたアドレス情報が、ＲＯＭ再生データ処理回路１５６から制御回路１７６に与えられており、制御回路１７６の指示により光ディスク１２の再生中のＲＯＭ部に対応したＲＡＭへの記録タイミングの制御が行なわれる。この記録タイミングにおいて記録メモリ１４８から読み出された圧縮データは記録データ処理回路１５６においてエラー検出訂正用のデータが付加され、例えば８−１４変調（ＥＦＭ）後に記録ドライバ１５２を介して磁気ヘッド１４４により光ディスク１２のＲＡＭ部に磁気マークとして記録される。ここで磁気ヘッド１４４に光ディスク１２のＲＡＭ部に情報を記録する場合には光ヘッド１４２から照射されるレーザ光はＤＣ連続光となっているため、磁気ヘッド１４４によるＲＡＭ部に対する磁気マークの記録と共にＲＯＭ部の再生が通常と同じ方法で行なうことができる。
次に図１０の本発明による記録再生装置において、光ディスク１２のＲＡＭ部に対するギター演奏などの記録動作が終了した後に行なう同期再生時のミクシング動作について説明する。このミクシング動作は光ディスク１２のＲＯＭ部に同期してギター演奏などによりＲＡＭ部に記録された音楽データのミクシング条件をユーザの好みに合わせて調整し、記録するようになる。このミクシング動作については図２に示した記録再生装置１０のミクシングＯＮ／ＯＦＦ釦２４を操作してミクシングオンとし、曲ナンバー選択部２２によりミクシング対象の曲を選択すると共に、ミクシングトラック選択釦３４によりＲＡＭ部に対応するミクシングトラックを選択して再生を開始する。このようなミクシング動作に伴う図１０の操作部１７８からの信号をうけて制御回路１７６はユーザが設定したミクシングの為の条件に従い、光ディスク１２の選択された対象曲のＲＯＭ部とミクシングトラックとして選択されたＲＡＭ部の同期再生を行い、両者が合成された再生曲をスピーカから出すようになる。このようなミクシングによる同期再生の状態でユーザは再生された曲を聞きながら、図２の音量比調整釦２６やＲＡＭ音質調整釦２８さらにはＲＯＭ音質調整釦３０により好みに合わせた調整を行なう。このミクシングの為の調整された条件は制御回路１７６を通して、ＴＯＣメモリ１８２に記録される。ミクシングのための調整が済んで曲の再生が終了したならば、ユーザは図２のミクシング決定釦３２を押す。このミクシング決定釦３２を押すことでＴＯＣメモリ１８２に記録されたミクシング条件が図８に示したように光ディスク１２のＴＯＣ領域６２に記録される。すなわちＴＯＣ領域には図９に示すようなＲＯＭ−ＴＯＣ部１１４とＲＡＭ−ＴＯＣ部１３０が設けられていることから、例えばＲＡＭ−ＴＯＣ部１３０のＲＡＭミクシング情報１３０に対し、ユーザが決定したミクシング条件が記録される。このようにミクシング条件を光ディスクのＲＯＭ−ＴＯＣ部１１４に記録することで光ディスク１２そのものが記録しているＲＯＭ部とこれに対応した複数のＲＡＭ部の情報についてのミクシング条件を持つこととなり、この光ディスクを別の装置で再生した場合でも同じ条件で曲を聴くことが可能となる。
図１１は、本発明の光ディスクにおけるＲＯＭ部とＲＡＭ部の他の実施形態を示した記録構造、すなわち媒体フォーマットの説明図である。この図１１の記録構造にあっては、１つのＲＡＭ１８４に対応するＲＯＭ部を３つのＲＯＭ部１９０，１９２，１９４からなる情報記録エリアに分割している。この関係はちょうど図６に示したＲＯＭ部とＲＡＭ部の関係を逆にしている。このため図１１のフォーマット構成を持つ光ディスクにあっては、例えば１つのＲＡＭ１８４に対応した３つの情報記録エリアに分割されたＲＯＭ部１９０，１９２，１９４のそれぞれに位相ピットの形成により、予め３種類の異なる音楽情報を記録していることになる。このためユーザにあっては３つのＲＯＭ部１９０，１９２，１９４の少なくともいずれかひとつのＲＯＭデータを選択して再生しながらギター、ピアノなどのいずれかひとつの楽器演奏を行なってＲＡＭ部１８４に同期記録し、その後に両者の同期再生を行なってミクシング条件を決定し、決定したミクシング条件を光ディスクのＴＯＣ領域に記録するようになる。ここでＲＡＭ部１８４の時間長さに対し３つのＲＯＭ部１９０，１９２，１９４の再生時における時間長さを同一にする必要があり、従ってＲＡＭ部１８４に対し、３つのＲＯＭ部１９０，１９２，１９４のデータはその３分の１に圧縮した圧縮データを位相ピットにより記録していることとなる。このようなＲＡＭ部及び対応する３つのＲＯＭ部の関係は、ＲＡＭ部１８４に続くＲＡＭ部１８６，１８８についても同様であり、それぞれ３つのＲＯＭ部１９６，１９８，２００及びＲＯＭ部２０２，２０４，２０６に分割されている。
図１１の記録構造を持つ光ディスクの記録再生装置としては、基本的には図１０の装置構成でよいが、ＲＯＭ部が１つのＲＡＭ部に対し３つの情報記録エリアに分割されていることから、ＲＯＭバッファメモリ１５８として第１、第２、第３のＲＯＭバッファメモリを図示のＲＡＭ部用の第１、第２、第３バッファメモリ１６８，１７０，１７２と同様に設ける。またデータ伸張回路もＲＯＭバッファメモリ１５８側に設ける。一方、ＲＡＭ側についてはデータ伸張回路１６６は不要であり、またバッファメモリも１つよい。
図１２は、本発明の光ディスクにおける他の記録構造、即ち記録フォーマットの説明図である。この図１２の実施形態にあっては、２つのＲＯＭ部に対応して、ＲＡＭ部を３つ情報記録エリアに分割したことを特徴とする。例えば先頭側のＲＯＭ部２０８，２１０の２つに対し、ＲＡＭ２２０，２２２，２２４の３つの情報記録エリアを対応して分割している。この場合、ＲＯＭ部２０８、２１０のそれぞれの時間長さに対し３つのＲＡＭ部２２０，２２２，２２４の時間長さを同一にする必要があるため、ＲＡＭ部２２０，２２２，２２４のデータはＲＯＭ部２０８，１０のデータに対し３分の２の時間長となるように圧縮して同期記録することになる。この点は、残りのＲＡＭ部２１２〜２１８及びＲＯＭ部２２６〜２３６についても同様である。この図１２のような記録構造を持つ光ディスクの再生については、図１０におけるＲＯＭバッファメモリ１５８を２つ設けることで実現でき、もちろんデータ圧縮回路１４６及びデータ伸張回路１６６は記録データの時間長さを３分の２に圧縮して光ディスクに記録した後、これに対応するデータ伸張を行なって再生するものであれば良い。
図１３は、光ディスクのトラック方向（円周方向）についてＲＯＭ部とＲＡＭ部が連続して形成された場合の記録構造、すなわち記録フォーマットの説明図である。このトラック方向にＲＯＭ部とＲＡＭ部が連続する記録構造にあっては、例えばＲＯＭ部２４２とこれに続く３つのＲＡＭ部２４４，２４６，２４８で１つの記録再生エリア２３８を構成している。このようなＲＯＭ部とＲＡＭ部がトラック方向に連続して形成された光ディスクとしては、図３に示したＲＡＭ部４８とＲＯＭ部５０を層状に形成している光ディスクに限定されず、相変化型の光ディスクを用いることも可能である。
図１４は、本発明による光ディスクによる他の実施形態であり、この光ディスク１２にあっては光ディスク１２の記録領域を内周と外周に分け、例えば外周の記録領域を光磁気マークを備えたＲＡＭ部領域２５６とし、内周の記録領域を位相ピットを形成したＲＯＭ部領域２５８としたことを特徴とする。
図１５は、同様に光ディスク１２をＲＯＭ領域とＲＡＭ領域に分けた他の実施形態であり、この実施形態にあっては光ディスク１２を円周方向に分けている。即ち光ディスク１２の円周方向を４分割し、ＲＡＭ領域２６０、ＲＯＭ領域２６４、ＲＡＭ領域２６２及びＲＯＭ領域２６６に分けて設けている。このように光ディスクの記録面をＲＯＭ領域とＲＡＭ領域に分けた記録構造にあっては、図１４の半径方向にＲＡＭ領域２５６とＲＯＭ領域２５８を分けた場合には、予めテーブル情報などにより外周のＲＡＭ領域２５６と内周のＲＯＭ領域２５８の対応セクタテーブルを準備しておき、ＲＯＭデータ及びＲＡＭデータを各領域から読み出した後にバッファメモリに格納し、バッファメモリに格納が完了した後に同期再生すればよい。また図１５の円周方向にＲＡＭ領域とＲＯＭ領域を分割した場合には、同一トラック上にＲＡＭ領域とＲＯＭ領域が交互に存在することから、これに対応したＲＯＭデータとＲＡＭデータの対応セクタテーブルを準備し、このセクタテーブルの対応関係に従ったＲＯＭデータとＲＡＭデータの同期再生及び同期記録を行なえばよい。
図１６は、本発明の光ディスク１２の他の実施形態であり、図３の光ディスク１２と同様ＲＡＭ部とＲＯＭ部を層状に設けているが、更にＲＡＭ部とＲＯＭ部を媒体厚み方向に二重化したことを特徴とする。
図１６（Ａ）は二重記録構造を持つ光ディスク１２の断面図であり、透明基板２６８に形成した位相ピット２７０に続いて記録層２７２を設け、これにより第１のＲＯＭ部とＲＡＭ部を形成している。続いてスペース層２７８を介して位相ピット２７４と記録層２７６を設け、これにより第２のＲＯＭ部とＲＡＭ部を構成し、その上に保護コート２８０を設けている。
図１６（Ｂ）は保護コート２８０側に位置する第２のＲＯＭ部及びＲＡＭ部の詳細構造であり、図１６（Ｃ）は透明基板２６８側に位置する第１のＲＯＭ部とＲＡＭ部の詳細構造である。まず図１６（Ｃ）の第１のＲＯＭ部とＲＡＭ部を説明すると、透明基板２６８の位相ピット形成面に対し、ＳｉＮなどの誘電体膜２８６を成膜し、次にＴｂＦｅＣｏなどの光磁気記録膜２８８を成膜し、次にＳｉＮなどの誘電体膜２９０を成膜し、最後に半透明反射膜２９２を成膜する。次に図１６（Ｂ）の第２のＲＯＭ部とＲＡＭ部を説明すると、予め位相ピットが生成されたスタンプなどの密着張り合わせによるＵＶ効果で形成されたスペース層２７８に続いて、ＳｉＮなどの誘電体膜２９４を成膜し、次にＴｂＦｅＣｏの光磁気記録膜２９６を成膜し、次にＳｉＮなどの誘電体膜２９８を成膜し、更にＡｌ，銀、金これらの合金を使用した反射膜３００を成膜している。ここで図１６（Ｃ）の第１のＲＯＭ部とＲＡＭ部の反射膜としては、位相ピットの読出しに必要な反射膜を確保するため、例えば３０〜７０％の範囲に反射率を調整している。このような反射率の調整によりその背後に位置する図１６（Ｂ）の第２のＲＯＭ部とＲＡＭ部に対しても、反射膜３００による位相ピットの読出しに可能なレーザー光量の入射が得られ、反射膜３００としては例えば８０％以上の反射率を持たせることで、十分な位相ピットの読出しを可能とする。もちろん２段階のＲＯＭ部とＲＡＭ部における反射率はその膜厚を調整することで必要とする適宜の反射率を決めることができる。この図１６のような二重構造を持つ光ディスク１２にあっては、図３の構造を持つ光ディスク１２に対し、その記録容量を２倍にすることができる。また図１６の二重構造を持つ光ディスク１２にあっては図１６（Ａ）に示すように記録部の厚さ方向の位置に対応してレーザービーム２８２またはレーザービーム２８４のようにフォーカス位置を調整することで二重化されたいずれか一方ＲＯＭ部とＲＡＭ部の同期記録及び同期再生を行なうことができる。
尚、上記の実施形態は１つのＲＯＭ部に対し、ＲＡＭ部を３つの情報記録エリアに分割した場合を例にとっているが、この分割数は２以上であればよく、必要に応じて適宜の分割数とすることができる。この関係は１つのＲＡＭ部に対し、ＲＯＭ部を３つの情報記録エリアに分割した場合についても同様である。
また上記の実施形態は音楽情報の記録再生を例にとるものであったが、音楽情報以外の例えば画像情報の記録再生についても、まったく同様に適用することができる。また本発明は上記の実施形態に限定されず、その目的と利点を損なうことのない適宜の変形を含み、更に上記の実施形態に示した数値による限定は受けない。
【図１】
2005052938.tif 000003
【図２】
2005052938.tif 000004
【図３】
2005052938.tif 000005
【図４】
2005052938.tif 000006
【図５】
2005052938.tif 000007
【図６】
2005052938.tif 000008
【図７】
2005052938.tif 000009
【図８】
2005052938.tif 000010
【図９】
2005052938.tif 000011
【図１０】
2005052938.tif 000012
【図１１】
2005052938.tif 000013
【図１２】
2005052938.tif 000014
【図１３】
2005052938.tif 000015
【図１４】
2005052938.tif 000016
【図１５】
2005052938.tif 000017
【図１６】
2005052938.tif 000018
【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
光反射率を利用した位相ピットで情報が記録されたＲＯＭ部と、記録及び再生可能なＲＡＭ部とが層状に配置され、前記ＲＯＭ部に記録された情報と前記ＲＡＭ部に記録された情報が同期再生される光ディスクに於いて、
前記ＲＡＭ部は前記ＲＯＭ部と同期再生可能な複数の情報記録エリアに分割されていることを特徴とする光ディスク。
【請求項２】
光反射率を利用した位相ピットで情報が記録されたＲＯＭ部と、記録及び再生可能なＲＡＭ部とが層状に配置され、ＲＯＭ部に記録された情報とＲＡＭ部に記録された情報が同期再生される光ディスクに於いて、
前記ＲＯＭ部は前記ＲＡＭ部と同期再生可能な複数の情報記録エリアに分割されていることを特徴とする光ディスク。
【請求項３】
反射率を利用した位相ピットで情報が記録されたＲＯＭ部と、光により記録及び再生可能なＲＡＭ部とが媒体上の異なる位置に配置された円盤状の光ディスクに於いて、
前記ＲＡＭ部は前記ＲＯＭ部と同期再生可能な複数の情報記録エリアに分割されていることを特徴とする光ディスク。
【請求項４】
反射率を利用した位相ピットで情報が記録されたＲＯＭ部と、記録及び再生可能なＲＡＭ部とが媒体上の異なる位置に配置された円盤状の多重光ディスクに於いて、
前記ＲＯＭ部は前記ＲＡＭ部と同期再生可能な複数の情報記録エリアに分割されていることを特徴とする光ディスク。
【請求項５】
光反射率を利用した位相ピットで情報が予め記録されたＲＯＭ部と、記録及び再生可能なＲＡＭ部とが層状に配置され、前記ＲＡＭ部が前記ＲＯＭ部と同期再生可能な複数の情報記録エリアに分割された光ディスクの情報を記録再生する記録再生装置に於いて、
前記ＲＡＭ部の各情報記録エリア単位にＲＡＭ情報を記録する記録部と、
前記ＲＯＭ部のＲＯＭ情報と前記ＲＡＭ部の各ＲＡＭ情報を読出し、読み出されたＲＯＭ情報と１又は複数のＲＡＭ情報を同期合成して再生する再生部と、
を有することを特徴とする記録再生装置。
【請求項６】
光反射率を利用した位相ピットで情報が記録されたＲＯＭ部と、記録及び再生可能なＲＡＭ部とが層状に配置され、前記ＲＯＭ部が前記ＲＡＭ部と同期再生可能な複数の情報記録エリアに分割されて予めＲＯＭ情報が記録された光ディスクの情報を記録再生する記録再生装置に於いて、
前記ＲＡＭ部にＲＡＭ情報を記録する記録部と、
前記ＲＯＭ部の各ＲＯＭ情報と前記ＲＡＭ部のＲＡＭ情報を読出し、読み出されたＲＡＭ情報と１又は複数のＲＯＭ情報を同期合成して再生する再生部と、
を有することを特徴とする記録再生装置。
【請求項７】
反射率を利用した位相ピットで情報が予め記録されたＲＯＭ部と、記録及び再生可能なＲＡＭ部とが媒体上の異なる位置に配置され、前記ＲＡＭ部が前記ＲＯＭ部と同期再生可能な複数の情報記録エリアに分割された光ディスク記録再生装置に於いて、
前記ＲＯＭ部のＲＯＭ情報と前記ＲＡＭ部の各ＲＡＭ情報を検出する情報検出部と、
前記情報検出部で検出されたＲＯＭ情報と１又は複数のＲＡＭ情報を同期合成して再生する再生部と、
を有することを特徴とする記録再生装置。
【請求項８】
反射率を利用した位相ピットで情報が予め記録されたＲＯＭ部と、記録及び再生可能なＲＡＭ部とが媒体上の異なる位置に配置され、前記ＲＯＭ部が前記ＲＡＭ部と同期再生可能な複数の情報記録エリアに分割された光ディスク記録再生装置に於いて、
前記ＲＡＭ部にＲＡＭ情報を記録する記録部と、
前記ＲＯＭ部のＲＯＭ情報と前記ＲＡＭ部の各ＲＡＭ情報を読出し、読み出されたＲＡＭ情報と１又は複数のＲＯＭ情報を同期合成して再生する再生部と、
を有することを特徴とする記録再生装置。
【手続補正２】
【補正対象書類名】明細書
【補正対象項目名】全文
【補正方法】変更
【補正の内容】
【発明の詳細な説明】
【技術分野】
【０００１】
本発明は、光反射率を利用した位相ピットで情報が記録されたＲＯＭ部と光磁気的に記録再生可能なＲＡＭ部を有する光ディスク及び記録再生装置に関し、特に、情報が多重記録されたＲＡＭ部とＲＯＭ部を同期再生可能な光ディスク及び記録再生装置に関する。
【背景技術】
【０００２】
従来、一般ユーザーが音楽を聞くための媒体としては、ＣＤ（Ｃｏｍｐａｃｔ Ｄｉｓｃ）が一般に広く普及している。また、デジタルオーディオデータを記録再生する装置として、光磁気媒体を使ったＭＤ（Ｍｉｎｉ  Ｄｉｓｃ）システムなどが普及している。なお、ＭＤシステムではＣＤに収められている音楽を録音再生することが可能である。
【０００３】
このように従来の音楽の聞き方は、ＣＤのように予め音楽情報がＲＯＭとして記録された媒体を購入してそれを聞くか、あるいはＭＤ等に好みの音楽を録音して聞くという楽しみ方が一般的である。
【０００４】
もう一つの音楽の楽しみ方は自分で楽器を演奏することである。楽器の演奏を録音して再生するには、ＭＤ等の録音可能な装置に外部マイクを取り付けて演奏を生で録音し再生する。この場合、自分の演奏のみを単独で録音することになる。しかしながら、ほとんどの音楽はオーケストラとかバンドのように様々な楽器が別々のパートを演奏することにより成り立っている。
【０００５】
したがって、個々の演奏者が個人でオーケストラとかバンドのパートを演奏するためには、例えばＣＤを聞きながら楽器の演奏をすることも可能であるが、その演奏を記録するには別途録音用の装置を準備する必要があり、さらに演奏と同時に録音用の装置を操作しなければならず、煩雑であった。また例えばＣＤを再生しながら、それに合わせて楽器を演奏し、外部入力マイク等で録音する方法では、ＣＤ再生と演奏の音量バランスの調整が困難であるために品質の良い音楽を記録することが極めて難しかった。
【０００６】
以上のような音楽記録上の問題点を改善するには多重録音が行われる。多重録音では複数の録音トラックをもつ光ディスクのトラック毎に別々の音楽を記録する。つまり一つ目のトラックに予め音楽を録音しておき、その音を再生して聞きながら別のトラックに音を重ねて記録する。例えばはじめにピアノを録音し、次にそのピアノの音を聴きながらギターを録音することによりピアノとギターを同時再生可能となる。このように複数トラックで再生しながら記録する、あるいは複数トラックの音楽を同時再生するためには、高速かつ大容量な記憶装置が必要であり、主にハードディスクが用いられている。
【０００７】
しかしながら、ハードディスクを利用した多重記録システムは音楽の製作が目的であるため高度な編集が必要とされ、複雑な操作が要求される。この結果、ハードディスクを使用した多重録音システムは限られた一部で利用されてはいるが一般的には普及していない。また磁気ディスクは光ディスクの位相ピットのようなＲＯＭ部がないため、予め音楽を記録しておくためには１枚毎に音楽を磁気的に記録する必要があり、製作コストが上昇するという問題もある。
【０００８】
ハードディスクに比べて簡単で扱いやすい媒体としてＭＤ（Ｍｉｎｉ Ｄｉｓｋ）を使用した多重録音システムも実現されている。ＭＤを使うことで媒体は安価となるが、複数トラックに順番にユーザーが音楽を記録しなればならないという点はハードディスクを使用した装置と同じである。このため出荷時に予め音楽情報を記録するには、やはりハードディスクの場合と同じように１枚毎に光磁気記録しなければならず、媒体コストが上昇してしまう。
【０００９】
また、複数トラックにした分だけ記録容量が低下するという問題もある。したがって、従来の記録用ＭＤによる多重録音システムも一部の専門家に使用されてはいるが一般的には普及していない。以上のように一部の専門家を除けば、これまでの音楽の楽しみ方は音楽を聴く、楽器を単独で演奏する、単独の演奏を録音再生するの３つに限られている。
【００１０】
一方、１枚の媒体にＲＯＭ部とＲＡＭ部を設けたコンカレントＲＯＭ／ＲＡＭ方式の光ディスクは、一部の専門家に限られていた多重録音、同時再生機能を安価に実現させる可能性を秘めている。例えば位相ピットによるＲＯＭ部に予め記録されている音楽あるいは画像情報に同期させて同じ位置に別の音楽あるいは画像情報をＲＡＭ部に記録する方法が提案されている（特許文献１）。また、パーシャルＲＯＭ方式を用いて分割記録された音楽情報を時間的に同期再生する方法も提案されている（特許文献２，３）。いずれの提案も音楽情報の時間的な同期に関する方法でありミクシング時の出力比、あるいは波形調整については不明である。
【特許文献１】特開平０７−０６５３７５号公報
【特許文献２】特開平０５−１５１７５８号公報
【特許文献３】特開平１１−０７７２９４号公報
【発明の開示】
【発明が解決しようとする課題】
【００１１】
音楽情報を多重記録再生する際には、各音楽情報の時間的な同期も必要であるが、それと同時にミクシングする際の各音楽情報の出力比あるいは波形調整も重要である。出力比あるいは波形調整なしのミクシングでは十分な品質で音楽を聴くことが極めて困難である。
【００１２】
一般に各音楽情報の最適な出力比あるいは波形調整量は、記録時に予測して決定することは困難であり、記録後の再生時に自由に設定できることが好ましい。しかもその設定は各音楽コンテンツ固有の条件であるから個々の情報媒体に記録されていることが好ましい。そこで本願発明者にあっては、ＲＯＭ部とＲＡＭ部を有する光ディスクの同期記録再生におけるミクシング方法を提案している。このミクシング方法は、単一のＲＯＭ情報に対して一つのＲＡＭ情報をミクシング記録再生することを前提としている。
【００１３】
しかしながら、実際のミクシング記録では１回だけの記録では不十分であることが多い。例えば音楽演奏をＲＯＭに同期して記録する場合でも、通常は１回の記録で満足できるとは限らない。数回の演奏により各演奏を比較することもある。また、複数の楽器を使ったマルチトラック記録を行うことも考えられる。またＲＯＭ部についても同様に複数種類の演奏あるいは映像を記録しておけば選択肢が増える。
【００１４】
本発明は、音楽情報などの多重記録再生に好適なＲＯＭ部とＲＡＭ部の記録構造を備えた光ディスク及び記録再生装置を提供することを目的とする。
【課題を解決するための手段】
【００１５】
本発明は、光反射率を利用した位相ピットで情報が記録されたＲＯＭ部と、記録及び再生可能なＲＡＭ部とが層状に配置され、ＲＯＭ部に記録された情報とＲＡＭ部に記録された情報が同期再生される光ディスクであって、ＲＡＭ部がＲＯＭ部と同期再生可能な複数の情報記録エリアに分割されていることを特徴とする。
【００１６】
このような本発明の光ディスクによれば、ＲＯＭ部にはＲＯＭ情報として例えば楽器の演奏パート以外のドラム、ベース、ギター、コーラス、ボーカルなどの音楽情報を予め記録しておき、楽器の演奏はＲＯＭ部に記録された音楽情報を聞きながらそれに合わせて行う。そして音楽ＲＯＭ情報の再生と同時に楽器の演奏を同じ光ディスクのＲＡＭ部に同期記録する。この場合、楽器を変えたり、同じ楽器の演奏を繰り返すなどして別々のＲＡＭ部に同期記録できる。同期記録が済んだ後は、ＲＯＭ部及び１又は複数のＲＡＭ部に多重記録した音楽情報を同期再生して合成出力する多重再生が簡単にできる。その結果、これまで一部の専門家に限られていた多重録音機能を手軽に安価に実現することが可能となる。
【００１７】
また本発明の別の形態にあっては、光反射率を利用した位相ピットで情報が記録されたＲＯＭ部と、記録及び再生可能なＲＡＭ部とが層状に配置され、ＲＯＭ部に記録された情報とＲＡＭ部に記録された情報が同期再生される光ディスクであって、逆に、ＲＯＭ部がＲＡＭ部と同期再生可能な複数の情報記録エリアに分割されていることを特徴とする。
【００１８】
光ディスクの情報記録エリアは、ＲＡＭ部がＲＯＭ部と同期再生可能な複数の情報記録エリアに分割されている場合、一定の時間長さの情報量を有する少なくとも一区切りのＲＯＭ部と、ＲＯＭ部の時間長さに等しい情報量を有する少なくとも二区切りのＲＡＭ部を単位とする構造である。
【００１９】
また前記情報記録エリアは、ＲＯＭ部がＲＡＭ部と同期再生可能な複数の情報記録エリアに分割されている場合、一定の時間長さの情報量を有する少なくとも二区切りのＲＯＭ部、ＲＯＭ部の時間長さに等しい情報量を有する少なくとも一区切りのＲＡＭ部を単位とする構造である。
【００２０】
光ディスクにおけるＲＡＭ部及びＲＯＭ部が重畳配置されている。ＲＡＭ部が光磁気記録膜である。更に、各ＲＯＭ部及びＲＡＭ部に記録された情報を合成する際に使用されるミクシング情報を記録する領域を媒体上に備える。ミクシング情報が前記情報記録エリア以外のＲＡＭ部に記録される。
【００２１】
本発明の別の形態にあっては、反射率を利用した位相ピットで情報が記録されたＲＯＭ部と、光により記録及び再生可能なＲＡＭ部とが媒体上の異なる位置に配置された円盤状の光ディスクに於いて、ＲＡＭ部がＲＯＭ部と同期再生可能な複数の情報記録エリアに分割されていることを特徴とする。
【００２２】
ここで情報記録エリアは、各分割されたＲＡＭ部の一定の時間長さの合計がＲＯＭ部の時間長さに略同じである。また、各分割されたＲＡＭ部のミクシング情報が媒体上に記録されている。
【００２３】
本発明の別の形態にあっては、反射率を利用した位相ピットで情報が記録されたＲＯＭ部と、光により記録及び再生可能なＲＡＭ部とが媒体上の異なる位置に配置された円盤状の多重光ディスクに於いて、逆にＲＯＭ部がＲＡＭ部と同期再生可能な複数の情報記録エリアに分割されていることを特徴とする。
【００２４】
ここで、情報記録エリアは、各分割されたＲＯＭ部の一定の時間長さの合計がＲＡＭ部の時間長さに略同じである。また各分割されたＲＯＭ部のミクシング情報が媒体上に記録されている。ＲＯＭ部及びＲＡＭ部が円周方向に繰り返し配置されている。ＲＡＭ部が相変化記録膜から形成されている。ミクシング情報が情報記録エリア以外のＲＡＭ部に記録される。
【００２５】
本発明の光ディスクは、ＲＯＭ部に音楽情報が記録され、ＲＡＭ部にＲＯＭ部の音楽情報に同期した他の音楽情報が記録されている。
【００２６】
本発明は、光反射率を利用した位相ピットで情報が記録されたＲＯＭ部と、記録及び再生可能なＲＡＭ部とが層状に配置され、ＲＡＭ部がＲＯＭ部と同期再生可能な複数の情報記録エリアに分割された光ディスクの情報を記録再生する記録再生装置を提供する。
【００２７】
この記録再生装置は、ＲＯＭ部のＲＯＭ情報とＲＡＭ部の各ＲＡＭ情報を検出する情報検出部と、情報検出部で検出されたＲＯＭ情報と１又は複数のＲＡＭ情報を同期合成して再生する再生部とを有することを特徴とする。
【００２８】
本発明の別の装置形態にあっては、光反射率を利用した位相ピットで情報が記録されたＲＯＭ部と、記録及び再生可能なＲＡＭ部とが層状に配置され、ＲＯＭ部がＲＡＭ部と同期再生可能な複数の情報記録エリアに分割された光ディスクの情報を記録再生する記録再生装置を提供する。この記録再生装置は、ＲＯＭ部の各ＲＯＭ情報とＲＡＭ部のＲＡＭ情報を検出する情報検出部と、情報検出部で検出されたＲＡＭ情報と１又は複数のＲＯＭ情報を同期合成して再生する再生部とを有することを特徴とする。
【００２９】
本発明の別の装置形態にあっては、反射率を利用した位相ピットで情報が記録されたＲＯＭ部と、記録及び再生可能なＲＡＭ部とが媒体上の異なる位置に配置され、ＲＡＭ部がＲＯＭ部と同期再生可能な複数の情報記録エリアに分割された光ディスクの記録再生装置に於いて、ＲＯＭ部のＲＯＭ情報とＲＡＭ部の各ＲＡＭ情報を検出する情報検出部と、情報検出部で検出されたＲＯＭ情報と１又は複数のＲＡＭ情報を同期合成して再生する再生部とを有することを特徴とする。
【００３０】
更に本発明の別の装置形態にあっては、反射率を利用した位相ピットで情報が記録されたＲＯＭ部と、記録及び再生可能なＲＡＭ部とが媒体上の異なる位置に配置され、ＲＯＭ部がＲＡＭ部と同期再生可能な複数の情報記録エリアに分割された光ディスク記録再生装置に於いて、ＲＯＭ部の各ＲＯＭ情報とＲＡＭ部のＲＡＭ情報を検出する情報検出部と、情報検出部で検出されたＲＡＭ情報と１又は複数のＲＯＭ情報を同期合成して再生する再生部とを有することを特徴とする。
【発明の効果】
【００３１】
このような本発明の光ディスク及び記録再生装置によれば、ＲＯＭ部にはＲＯＭ情報として例えば楽器の演奏パート以外のドラム、ベース、ギター、コーラス、ボーカルなどの音楽情報を予め記録しておき、楽器の演奏はＲＯＭ部に記録された音楽情報を聞きながらそれに合わせて行う。そして音楽ＲＯＭ情報の再生と同時に楽器の演奏を同じ光ディスクのＲＡＭ部に同期記録する。この場合、楽器を変えたり、同じ楽器の演奏を繰り返すなどして別々のＲＡＭ部に同期記録できる。同期記録が済んだ後は、ＲＯＭ部及び１又は複数のＲＡＭ部に多重記録した音楽情報を同期再生して合成出力する多重再生が簡単にできる。その結果、これまで一部の専門家に限られていた多重録音機能を手軽に安価に実現することが可能となる。
【発明を実施するための最良の形態】
【００３２】
図１は、本発明の光ディスク及び記録再生装置を用いた音楽用の多重記録再生システムの説明図である。
【００３３】
図１において、本発明の記録再生装置１０に対しては記録媒体としての光ディスク１２が使用され、記録再生装置１０のスロットから光ディスク１２を挿入することで記録再生を行うことができる。本発明の光ディスク１２は、光反射率を利用した位相ピットで予め情報が記録されたＲＯＭ部と、記録及び再生可能なＲＡＭ部とが、媒体厚み方向に層状に配置され、ＲＯＭ部に記録された情報とＲＡＭ部に記録された情報を同期再生することが可能であり、更に本発明にあっては、１つのＲＯＭ部に対応したＲＡＭ部がＲＯＭ部と同期再生可能な複数の情報記憶エリアに分割されていることを特徴とする。
【００３４】
図１の多重記録再生システムは、記録再生装置１０に対し例えばギター１６、マイク１８を入力接続すると共に、スピーカ２０を出力接続しており、ギター１６以外にピアノ１４を配置しており、ピアノ１４の音はマイク１８から入力するようにしている。即ち、ギター１６の音は直接、電気信号に変換されて記録再生装置１０に与えられ、ピアノ１４からの音はマイク１８により電気信号に変換されて記録再生装置１０に入力され、それぞれＡＤ変換器によりデジタル信号に変換された後に光ディスク１２に記録される。
【００３５】
このとき光ディスク１２のＲＯＭ部に予め記録されている音楽情報をスピーカ２０から出力させる。スピーカ２０から出力されるＲＯＭ部の音楽情報としては、例えば楽器の演奏パート以外のドラム、ベース、ギター、コーラス、ボーカルなどのバンド演奏でもよいし、あるいはオーケストラの演奏でもよく、更には一定間隔のリズムを刻む音であってもよい。いずれにしてもギター１６やピアノ１４といった楽器の演奏は、光ディスク１２のＲＯＭ部に記録された音楽情報をスピーカ２０で再生し、それを聞きながら演奏し、ＲＯＭ部に対応した複数のＲＡＭ部の情報記録エリアのいずれかに録音する。
【００３６】
光ディスク１２のＲＯＭ部に対応した複数の情報記録エリアに分割されたＲＡＭ部に対する音楽情報の記録は、ギター１６やピアノ１４の音楽信号を別々に記録してもよいし、あるいはギター１６といった同じ楽器の演奏を数回繰り返して別々に同期記録することも可能である。もちろん、ギター１６のように演奏の電気信号を直接、記録再生装置１０に入力する複数の楽器について同時に演奏して、ＲＯＭ部に対応したＲＡＭ部の各情報記録エリアに別々に記録することも可能である。
【００３７】
ここで、記録再生装置１０からの出力信号をスピーカ２０に送って再生しているが、スピーカ２０で再生した場合にはマイク１８などで音を拾う可能性があることから、このような場合にはヘッドフォンなどの出力機器を使用すればよい。また光ディスク１２からの音楽情報の再生は、ＲＡＭ部に記録情報がない場合にはＲＯＭ部の予め記録された音楽情報の再生出力のみを行うものであるが、一旦、ギター１６やピアノ１４による演奏情報がＲＡＭ部に記録された場合には、ＲＯＭ部とＲＡＭ部の各音楽情報を読み出して信号を合成した後にスピーカ２０から出力することもできる。もちろんスピーカ２０としては、外部スピーカのみならず、記録再生装置１０そのものにスピーカを内蔵してもよい。
【００３８】
図２は、図１の本発明による記録再生装置の説明図である。図２において、記録再生装置１０は、前面に光ディスク１２の投入排出を行うスロット１１を備えており、スロット１１から光ディスク１２を投入することで音楽情報の記録再生が可能となる。
【００３９】
記録再生装置１０には、多重記録再生のための操作部として、曲ナンバー選択部２２、ミクシングＯＮ／ＯＦＦ釦２４、音量比調整釦２６、ＲＡＭ音質調整釦２８、ＲＯＭ音質調整釦３０、決定釦３２及びミクシングトラック選択釦３４が設けられている。また、この例では、記録再生装置に対し２台のスピーカ２０−１，２０−２を接続し、音楽情報のステレオ再生を可能としている。
【００４０】
図２における本発明の記録再生装置１０の各操作部は、光ディスク１２に対し図１に示したような楽器を使用して複数の音楽情報の多重記録を行った後のミクシング操作に利用される。例えば、多重録音の済んだ光ディスク１２を記録再生装置１０にローディングした状態でミクシングＯＮ／ＯＦＦ釦２４を操作してミクシングＯＮとした後に、曲ナンバー選択部２２により特定の曲を選択し、これによりミクシング状態が有効となり、音量比調整釦２６、ＲＡＭ音質調整釦２８及びＲＯＭ音質調整釦３０が可能となる。
【００４１】
この状態で、光ディスク１２に多重録音されているＲＯＭ部とＲＡＭ部の再生により、ミクシングされた音楽がスピーカ２０−１，２０−２から出力される。このためユーザーは、再生音楽を聴きながらＲＡＭ音質調整釦２８及びＲＯＭ音質調整釦３０を操作し、好みの条件に調整する。
【００４２】
調整ができたならば決定釦３２を押すことにより、調整された音量比、音質の各情報が装置内のＴＯＣ（テ−ブル・オブ・コンテンツ）メモリに記録され、曲の再生が終了すると、光ディスク１２に予め設けられているＴＯＣエリアにミクシングの設定条件の情報が記録される。また、再生時にミクシングトラック選択釦３４を選択することで、ＲＯＭに対応した複数領域に分割されているＲＡＭ部の情報記録エリアのいずれか１つを選択して、これによってミクシング対象とする記録済みの音楽情報を選択することができる。
【００４３】
図３は、本発明による光ディスクの構造説明図である。図３（Ａ）は本発明による光ディスク１２の外観を示しており、媒体記録面に編集またはスパイラル方向に記録トラックが形成されている。図３（Ｂ）は、光ディスク１２の半径方向断面の一部となる１２ａの部分を取り出している。光ディスク１２は、透明基板３６の上部に光反射率を利用した位相ピット４５により情報が記録されたＲＯＭ部を備えており、この位相ピット４５の記録面の上には、保護コート４６が形成されている。
【００４４】
図３（Ｃ）は、図３（Ｂ）の透明基板３６に形成された位相ピット４５の部分を、半径方向の断面について媒体構造を拡大して示した説明図である。図３（Ｃ）において、光ディスク１２は、レーザ光５２が入射する側に透明基板３６を配置し、透明基板３６に続いてＲＡＭ部４８とＲＯＭ部５０を層状に形成し、その上に保護コート４６を設けている。
【００４５】
このＲＡＭ部４８及びＲＯＭ部５０の構造の詳細は、透明基板３６に続いて誘電体膜３８、光磁気記録膜４０、誘電体膜４２を設けることでＲＡＭ部４８を形成し、続いて反射膜４４を設けることでＲＯＭ部５０を形成し、更に保護コード４６を設けている。透明基板３６はポリカーボネートまたはアモルファスポリオリフィンなどを材料とし、透明基板３６の表面には成型によりＲＯＭ部を構成する図３（Ｂ）に示すような位相ピット４５が形成されている。
【００４６】
この透明基板３６をスパッタ装置に導入し、ＲＡＭ部４８を成膜する。この成膜は、透明基板３６の位相ピット形成面に対し、まずＳｉＮなどの誘電体膜３８を成膜し、次にＴｂＦｅＣｏなどの光磁気記録膜４０を成膜し、続いてＳｉＮなどの誘電体膜４２を成膜し、最後に反射膜４４を成膜する。
【００４７】
このようなＲＡＭ部４８とＲＯＭ部５０を層状に形成した光ディスク１２に対し、透明基板３６側からレーザ光５２を照射すると、ＲＯＭ部５０の位相ピットによる反射率の変化とＲＡＭ部４８に形成した光磁気記録膜４０による記録または再生を同時に行うことができる。
【００４８】
図４は、本発明の光ディスク１２におけるＲＯＭ信号とＲＡＭ信号の多重記録状態の説明図であり、図３（Ｂ）の位相ピット４５を下側から見た状態で表している。図４において、光ディスクの円周方向に位相ピットを形成する凹凸の記録が物理的に行われており、これがＲＯＭ信号５２となる。
【００４９】
このようなＲＯＭ信号５２の位相ピットに対し、その下側に図３（Ｃ）に示したように光磁気記録膜４０が形成されていることから、ここに例えば磁気マークとしてのＲＡＭ信号５４が記録されることになる。ここでＲＡＭ信号５４の記録時のタイミング検出のためにＲＯＭ信号５２のデータを利用する場合、ＲＡＭ信号５４のマーク長はＲＯＭ信号のｎ倍（但しｎ＝１，２，３，…となる任意の整数）とすればよい。
【００５０】
図５は、本発明の光ディスク１２における記録領域の説明図である。この例では、光ディスク１２上のＮ曲目の記録領域５６とＮ＋ｋ曲目の記録領域５８を示しており、各記録領域５６，５８にあってはＲＯＭ部に対しＲＡＭ部が複数の情報記録エリアに分割されている。
【００５１】
図６は本発明の光ディスクにおいて、ＲＯＭ部に対しＲＡＭ部が同期再生可能な３つの記録情報エリアに分割された場合の記録構造、即ち記録フォーマットの説明図である。図６は３つのＲＯＭ部６４，６６，６８を取り出している。ＲＯＭ部６４は３つのＲＡＭ部７０，７２，７４となる記録情報エリアに分割され、ＲＯＭ部６６もＲＡＭ部７６，７８，８０となる３つの記録情報エリアに分割され、更にＲＯＭ部６８もＲＡＭ部８２，８４，８６の３つの記録情報エリアに分割されている。
【００５２】
このため、例えばＲＯＭ部６４を例にとると、ＲＯＭ部６４の情報を再生する際に、これに同期して３つのＲＡＭ部７０，７２，７４に対する情報の記録または情報の再生を同期的に行うことができる。
【００５３】
図７は、図６に基づく本発明の光ディスク１２における具体的な媒体フォーマットの説明図である。図７（Ａ）はＲＯＭ部８８であり、セクタの先頭を識別するためのセクタ同期信号９０、セクタごとの番地を示すセクタアドレス９２、ＲＯＭデータ部９４から構成されている。
【００５４】
更にＲＯＭデータ部９４にはセクタ内の分割位置を示すアドレス１０２，１０４が形成され、セクタ内をサーボセクタ９６，９８，１００に分割している。一方、図７（Ｂ）のＲＡＭ部１０６については、図７（Ａ）のＲＯＭ部８８による１つのＲＯＭセクタに対し同期記録再生可能な３つのＲＡＭセクタに分割する例を示していることから、ＲＯＭ部８８のセクタアドレス９２、アドレス１０２，１０４に対応してＲＡＭ部１０６の分割ＲＡＭセクタ１０８，１１０，１１２の先頭にフラグ１１４，１１６，１１８を設け、分割ＲＡＭセクタが記録済みであるか否かを示すようにしている。
【００５５】
このようなＲＯＭ部８８のＲＯＭデータ部９４とＲＡＭ部１０６の各分割ＲＡＭセクタ１０８，１１０，１１２に対しては、時間長さが同じ音楽情報が記録されることから、ＲＯＭデータ部９４については予め音楽情報を非圧縮で位相ピットにより固定記録しておき、これに対し分割ＲＡＭセクタ１０８，１１０，１１２に対しては、同じ時間長さの音楽情報に対し、これを圧縮することで３分の１の時間長さとし、３つの圧縮された音楽データの合計時間とＲＯＭデータ部９４の時間とを同一時間とする記録を行う。
【００５６】
図８は、本発明の光ディスク１２でミクシング情報を記録するＴＯＣ領域の説明図である。この実施形態の光ディスク１２にあっては、図３（Ｃ）に示したような構造のＲＡＭ部４８とＲＯＭ部５０を持つデータ領域６０に対し、例えばその内周側にＲＡＭ部のみの構造を持つＴＯＣ領域６２を設けている。
【００５７】
ＴＯＣ領域６２には、データ領域６０に記録された各音楽情報についての音量比、音質、波形調整情報などのミクシング情報が記録されている。このミクシング情報は、１つのＲＯＭ部に対しＲＡＭ部が複数に分割されていることから、各分割されたＲＡＭ部ごとに記録している音楽情報のミクシング情報が独立に記録される。
【００５８】
図９は、図８のＴＯＣ領域における媒体フォーマットの説明図である。この図９のＴＯＣ領域は図７のデータ領域に対応している。図９において、ＴＯＣ領域は、図９（Ａ）のＲＯＭ−ＴＯＣ部１１４と図９（Ｂ）のＲＡＭ−ＴＯＣ部１３０から構成されている。ＲＯＭ−ＴＯＣ部１１４については、曲数１２０、コンテンツアドレス１２２、曲名１２４、時間１２６及びＲＡＭ分割数１２８が記録されている。このＲＯＭ−ＴＯＣ部１１４は固定情報であることから、ＴＯＣ領域における位相ピットとして形成する。
【００５９】
図９（Ｂ）のＲＡＭ−ＴＯＣ部１３０は、分割ＲＡＭセクタに分けてＲＡＭミクシング情報１３１，１３２，１３４を設け、ここに音量比、音質、波形調整情報などのミクシング情報を記録する。またＲＡＭ記録情報１３６が設けられ、記録済みの分割ＲＡＭセクタと未記録の分割ＲＡＭセクタの状態を記録している。
【００６０】
図１０は、本発明による記録再生装置の実施形態を示したブロック図である。
【００６１】
図１０において、スピンドルモータ１３８に対しては、図示しないローディング及びアンローディング機構により外部から挿入された光ディスク１２が装着され、一定速度で回転される。スピンドルモータ１３８は回転制御回路１４０により制御され、この回転制御はクロック生成回路１６０からのクロックに基づき、例えばＣＬＶ制御（線速度一定制御）が行われる。
【００６２】
光ディスク１２に対する記録再生のヘッドとして、この実施形態では光ヘッド１４２と磁気ヘッド１４４を備え、ＲＡＭ部については光ヘッド１４２によるレーザ光のＤＣ連続光の照射状態で磁気ヘッド１４４からの磁気マークを記録し、また、光ディスク１２のＲＯＭ部及びＲＡＭ部の同期再生については光ヘッド１４２からのレーザ光のＤＣ連続光による再生を行なう。
【００６３】
このような光ヘッド１４２と磁気ヘッド１４４からなるヘッド構成については、例えばテレビジョン学会Ｖｏｌ．４６  Ｎｏ．１０  １３１９〜１３２４頁（１９９２）に記載されている構成を用いることができる。このようなヘッド構成により光ディスク１２の位相ピットからなるＲＡＭ信号と、光磁気記録膜に形成された磁気マークの分離同時読出しが可能となる。
【００６４】
光ディスク１２に情報を記録するための記録部は、データ圧縮回路１４６、記録メモリ１４８、記録データ処理回路１５０及び記録ドライバ１５２で構成される。
【００６５】
一方、光ディスク１２のＲＯＭ部及びＲＡＭ部の情報を同期再生する再生部は、ＲＯＭ再生アンプ１５４、ＲＯＭ再生データ処理回路１５６、ＲＯＭバッファメモリ１５８、ＲＡＭ再生アンプ１６２、ＲＡＭ再生データ処理回路１６４、データ伸張回路１６６、第１バッファメモリ１６８、第２バッファメモリ１７０、第３バッファメモリ１７２及びミクシング回路１７４で構成される。
【００６６】
更に、これら記録部及び再生部を制御するためＭＰＵなどのファームウェアを用いた制御回路１７６が設けられ、制御回路１７６に対しては操作部１７８と表示部１８０が設けられ、更にＴＯＣメモリ１８２を接続している。
【００６７】
次に図１０の記録再生装置につき、光ディスク１２のＲＯＭ部とＲＡＭ部の同期再生の動作を説明する。ユーザが操作部１７８を使用して曲を選択すると、選択した曲のアドレスに対応する位置に光ヘッド１４２が移動し、ＲＯＭ部とＲＡＭ部の記録情報が分離されて読み出される。
【００６８】
光ヘッド１４２により分離して読み出されたＲＯＭ部とＲＡＭ部の読出信号は、それぞれＲＯＭ再生アンプ１５４とＲＡＭ再生アンプ１６２で増幅及び波形成形された後に２値化され、ＲＯＭ再生データ処理回路１５６とＲＡＭ再生データ処理回路１６４に入力される。ＲＯＭ再生データ処理回路１５６とＲＡＭ再生データ処理回路１６４は、２値化された再生信号に対し、例えば８−１４変調（ＥＦＭ）に対する復調を行った後にエラー訂正動作を行って、ＲＯＭデータ及びＲＡＭデータを出力する。
【００６９】
ここで、ＲＯＭ再生データ処理回路１５６はＲＯＭデータのセクタアドレス信号を分離し、制御回路１７６に供給する。制御回路１７６はセクタアドレス信号を受けて光ディスク１２上の光ヘッド１４２の位置を認識すると共に、図示しない光学ヘッド移動機構を用いて光ヘッドを目標位置に移動させるトラッキング制御を行う。
【００７０】
またＲＯＭ再生アンプ１５４の出力はクロック生成回路１６０に供給され、ＣＬＶによる回転制御のためのクロックを回転制御回路１４０に供給すると共に、記録タイミングのためのクロックを記録ドライバ回路１５２に供給する。ＲＯＭ再生データ処理回路１５６で復調されたＲＯＭデータは、ＲＯＭバッファメモリ１５８に供給される。ここで、分割された３つのＲＡＭ部に対応して３つのバッファメモリ１６８，１７０，１７２が設けられている。
【００７１】
ＲＡＭ再生データ処理回路１６４は、３つのＲＡＭ部のそれぞれから復調されたＲＡＭ圧縮データをデータ伸張回路１６６で元に戻す伸張処理を行った後、各ＲＡＭ部に対応して設けた第１，第２，第３バッファメモリ１６８，１７０，１７２のそれぞれに供給する。ＲＯＭバッファメモリ１５８に格納されたＲＯＭデータ及び第１，第２，第３バッファメモリ１６８，１７０，１７２に格納された各ＲＡＭデータは、ＴＯＣメモリ１８２に記録されたミクシング条件に従った制御回路１７６の指示に従いミクシング回路１７４で合成され、外部に出力され、スピーカやヘッドフォンなどの出力機器から再生音楽を出力する。
【００７２】
次に図１０の本発明の記憶再生装置において光ディスク１２のＲＯＭ部の再生と同期したＲＡＭに対する記録動作について説明する。例えば図１の多重記録再生システムに示したようにユーザが光ディスク１２のＲＯＭ部に記録されている音楽情報を再生しながらギター１６を演奏して、ＲＡＭに同期記録するような場合である。
【００７３】
このようなＲＯＭ部と同期したＲＡＭの記録にあっては、光ヘッド１４２及び磁気ヘッド１４４が光ディスク１２の選曲された位置に位置決め制御された後に記録再生動作が同時に行なわれる。再生動作にあっては光ヘット１４２により光ディスク１２の選曲されたＲＯＭ部のＲＡＭデータが読み出され、ＲＯＭ再生アンプ１５４で増幅制御された後、ＲＯＭ再生データ処理回路１５６で復調され、ＲＯＭバッファメモリ１５８に格納された後にミクシング回路１７４を介して、外部のスピーカ類に再生される。
【００７４】
この時、制御回路１７６にあっては録音であることからＲＡＭ部の復調データとのミクシングは行なわれていない。このようなＲＯＭ部の再生による音楽収録を聞きながらユーザがギターを演奏し、ギター演奏による入力信号がＡＤ変換された後に、データ圧縮回路１４６により圧縮され、記録メモリ１４８に供給される。ここで光ディスク１２のＲＯＭ部との再生により検出されたアドレス情報が、ＲＯＭ再生データ処理回路１５６から制御回路１７６に与えられており、制御回路１７６の指示により光ディスク１２の再生中のＲＯＭ部に対応したＲＡＭへの記録タイミングの制御が行なわれる。
【００７５】
この記録タイミングにおいて記録メモリ１４８から読み出された圧縮データは記録データ処理回路１５６においてエラー検出訂正用のデータが付加され、例えば８−１４変調（ＥＦＭ）後に記録ドライバ１５２を介して磁気ヘッド１４４により光ディスク１２のＲＡＭ部に磁気マークとして記録される。ここで磁気ヘッド１４４に光ディスク１２のＲＡＭ部に情報を記録する場合には光ヘッド１４２から照射されるレーザ光はＤＣ連続光となっているため、磁気ヘッド１４４によるＲＡＭ部に対する磁気マークの記録と共にＲＯＭ部の再生が通常と同じ方法で行なうことができる。
【００７６】
次に図１０の本発明による記録再生装置において、光ディスク１２のＲＡＭ部に対するギター演奏などの記録動作が終了した後に行なう同期再生時のミクシング動作について説明する。このミクシング動作は光ディスク１２のＲＯＭ部に同期してギター演奏などによりＲＡＭ部に記録された音楽データのミクシング条件をユーザの好みに合わせて調整し、記録するようになる。
【００７７】
このミクシング動作については図２に示した記録再生装置１０のミクシングＯＮ／ＯＦＦ釦２４を操作してミクシングオンとし、曲ナンバー選択部２２によりミクシング対象の曲を選択すると共に、ミクシングトラック選択釦３４によりＲＡＭ部に対応するミクシングトラックを選択して再生を開始する。
【００７８】
このようなミクシング動作に伴う図１０の操作部１７８からの信号をうけて制御回路１７６はユーザが設定したミクシングの為の条件に従い、光ディスク１２の選択された対象曲のＲＯＭ部とミクシングトラックとして選択されたＲＡＭ部の同期再生を行い、両者が合成された再生曲をスピーカから出すようになる。このようなミクシングによる同期再生の状態でユーザは再生された曲を聞きながら、図２の音量比調整釦２６やＲＡＭ音質調整釦２８さらにはＲＯＭ音質調整釦３０により好みに合わせた調整を行なう。
【００７９】
このミクシングの為の調整された条件は制御回路１７６を通して、ＴＯＣメモリ１８２に記録される。ミクシングのための調整が済んで曲の再生が終了したならば、ユーザは図２のミクシング決定釦３２を押す。このミクシング決定釦３２を押すことでＴＯＣメモリ１８２に記録されたミクシング条件が図８に示したように光ディスク１２のＴＯＣ領域６２に記録される。
【００８０】
すなわちＴＯＣ領域には図９に示すようなＲＯＭ−ＴＯＣ部１１４とＲＡＭ−ＴＯＣ部１３０が設けられていることから、例えばＲＡＭ−ＴＯＣ部１３０のＲＡＭミクシング情報１３０に対し、ユーザが決定したミクシング条件が記録される。このようにミクシング条件を光ディスクのＲＯＭ−ＴＯＣ部１１４に記録することで光ディスク１２そのものが記録しているＲＯＭ部とこれに対応した複数のＲＡＭ部の情報についてのミクシング条件を持つこととなり、この光ディスクを別の装置で再生した場合でも同じ条件で曲を聴くことが可能となる。
【００８１】
図１１は、本発明の光ディスクにおけるＲＯＭ部とＲＡＭ部の他の実施形態を示した記録構造、すなわち媒体フォーマットの説明図である。この図１１の記録構造にあっては、１つのＲＡＭ１８４に対応するＲＯＭ部を３つのＲＯＭ部１９０，１９２，１９４からなる情報記録エリアに分割している。
【００８２】
この関係はちょうど図６に示したＲＯＭ部とＲＡＭ部の関係を逆にしている。このため図１１のフォーマット構成を持つ光ディスクにあっては、例えば１つのＲＡＭ１８４に対応した３つの情報記録エリアに分割されたＲＯＭ部１９０，１９２，１９４のそれぞれに位相ピットの形成により、予め３種類の異なる音楽情報を記録していることになる。
【００８３】
このためユーザにあっては３つのＲＯＭ部１９０，１９２，１９４の少なくともいずれかひとつのＲＯＭデータを選択して再生しながらギター、ピアノなどのいずれかひとつの楽器演奏を行なってＲＡＭ部１８４に同期記録し、その後に両者の同期再生を行なってミクシング条件を決定し、決定したミクシング条件を光ディスクのＴＯＣ領域に記録するようになる。
【００８４】
ここでＲＡＭ部１８４の時間長さに対し３つのＲＯＭ部１９０，１９２，１９４の再生時における時間長さを同一にする必要があり、従ってＲＡＭ部１８４に対し、３つのＲＯＭ部１９０，１９２，１９４のデータはその３分の１に圧縮した圧縮データを位相ピットにより記録していることとなる。
【００８５】
このようなＲＡＭ部及び対応する３つのＲＯＭ部の関係は、ＲＡＭ部１８４に続くＲＡＭ部１８６，１８８についても同様であり、それぞれ３つのＲＯＭ部１９６，１９８，２００及びＲＯＭ部２０２，２０４，２０６に分割されている。
【００８６】
図１１の記録構造を持つ光ディスクの記録再生装置としては、基本的には図１０の装置構成でよいが、ＲＯＭ部が１つのＲＡＭ部に対し３つの情報記録エリアに分割されていることから、ＲＯＭバッファメモリ１５８として第１、第２、第３のＲＯＭバッファメモリを図示のＲＡＭ部用の第１、第２、第３バッファメモリ１６８，１７０，１７２と同様に設ける。またデータ伸張回路もＲＯＭバッファメモリ１５８側に設ける。一方、ＲＡＭ側についてはデータ伸張回路１６６は不要であり、またバッファメモリも１つよい。
【００８７】
図１２は、本発明の光ディスクにおける他の記録構造、即ち記録フォーマットの説明図である。この図１２の実施形態にあっては、２つのＲＯＭ部に対応して、ＲＡＭ部を３つ情報記録エリアに分割したことを特徴とする。
【００８８】
例えば先頭側のＲＯＭ部２０８，２１０の２つに対し、ＲＡＭ２２０，２２２，２２４の３つの情報記録エリアを対応して分割している。この場合、ＲＯＭ部２０８、２１０のそれぞれの時間長さに対し３つのＲＡＭ部２２０，２２２，２２４の時間長さを同一にする必要があるため、ＲＡＭ部２２０，２２２，２２４のデータはＲＯＭ部２０８，１０のデータに対し３分の２の時間長となるように圧縮して同期記録することになる。
【００８９】
この点は、残りのＲＡＭ部２１２〜２１８及びＲＯＭ部２２６〜２３６についても同様である。この図１２のような記録構造を持つ光ディスクの再生については、図１０におけるＲＯＭバッファメモリ１５８を２つ設けることで実現でき、もちろんデータ圧縮回路１４６及びデータ伸張回路１６６は記録データの時間長さを３分の２に圧縮して光ディスクに記録した後、これに対応するデータ伸張を行なって再生するものであれば良い。
【００９０】
図１３は、光ディスクのトラック方向（円周方向）についてＲＯＭ部とＲＡＭ部が連続して形成された場合の記録構造、すなわち記録フォーマットの説明図である。このトラック方向にＲＯＭ部とＲＡＭ部が連続する記録構造にあっては、例えばＲＯＭ部２４２とこれに続く３つのＲＡＭ部２４４，２４６，２４８で１つの記録再生エリア２３８を構成している。
【００９１】
このようなＲＯＭ部とＲＡＭ部がトラック方向に連続して形成された光ディスクとしては、図３に示したＲＡＭ部４８とＲＯＭ部５０を層状に形成している光ディスクに限定されず、相変化型の光ディスクを用いることも可能である。
【００９２】
図１４は、本発明による光ディスクによる他の実施形態であり、この光ディスク１２にあっては光ディスク１２の記録領域を内周と外周に分け、例えば外周の記録領域を光磁気マークを備えたＲＡＭ部領域２５６とし、内周の記録領域を位相ピットを形成したＲＯＭ部領域２５８としたことを特徴とする。
【００９３】
図１５は、同様に光ディスク１２をＲＯＭ領域とＲＡＭ領域に分けた他の実施形態であり、この実施形態にあっては光ディスク１２を円周方向に分けている。即ち光ディスク１２の円周方向を４分割し、ＲＡＭ領域２６０、ＲＯＭ領域２６４、ＲＡＭ領域２６２及びＲＯＭ領域２６６に分けて設けている。
【００９４】
このように光ディスクの記録面をＲＯＭ領域とＲＡＭ領域に分けた記録構造にあっては、図１４の半径方向にＲＡＭ領域２５６とＲＯＭ領域２５８を分けた場合には、予めテーブル情報などにより外周のＲＡＭ領域２５６と内周のＲＯＭ領域２５８の対応セクタテーブルを準備しておき、ＲＯＭデータ及びＲＡＭデータを各領域から読み出した後にバッファメモリに格納し、バッファメモリに格納が完了した後に同期再生すればよい。
【００９５】
また図１５の円周方向にＲＡＭ領域とＲＯＭ領域を分割した場合には、同一トラック上にＲＡＭ領域とＲＯＭ領域が交互に存在することから、これに対応したＲＯＭデータとＲＡＭデータの対応セクタテーブルを準備し、このセクタテーブルの対応関係に従ったＲＯＭデータとＲＡＭデータの同期再生及び同期記録を行なえばよい。
【００９６】
図１６は、本発明の光ディスク１２の他の実施形態であり、図３の光ディスク１２と同様ＲＡＭ部とＲＯＭ部を層状に設けているが、更にＲＡＭ部とＲＯＭ部を媒体厚み方向に二重化したことを特徴とする。
【００９７】
図１６（Ａ）は二重記録構造を持つ光ディスク１２の断面図であり、透明基板２６８に形成した位相ピット２７０に続いて記録層２７２を設け、これにより第１のＲＯＭ部とＲＡＭ部を形成している。続いてスペース層２７８を介して位相ピット２７４と記録層２７６を設け、これにより第２のＲＯＭ部とＲＡＭ部を構成し、その上に保護コート２８０を設けている。
【００９８】
図１６（Ｂ）は保護コート２８０側に位置する第２のＲＯＭ部及びＲＡＭ部の詳細構造であり、図１６（Ｃ）は透明基板２６８側に位置する第１のＲＯＭ部とＲＡＭ部の詳細構造である。
【００９９】
まず図１６（Ｃ）の第１のＲＯＭ部とＲＡＭ部を説明すると、透明基板２６８の位相ピット形成面に対し、ＳｉＮなどの誘電体膜２８６を成膜し、次にＴｂＦｅＣｏなどの光磁気記録膜２８８を成膜し、次にＳｉＮなどの誘電体膜２９０を成膜し、最後に半透明反射膜２９２を成膜する。
【０１００】
次に図１６（Ｂ）の第２のＲＯＭ部とＲＡＭ部を説明すると、予め位相ピットが生成されたスタンプなどの密着張り合わせによるＵＶ効果で形成されたスペース層２７８に続いて、ＳｉＮなどの誘電体膜２９４を成膜し、次にＴｂＦｅＣｏの光磁気記録膜２９６を成膜し、次にＳｉＮなどの誘電体膜２９８を成膜し、更にＡｌ，銀、金これらの合金を使用した反射膜３００を成膜している。
【０１０１】
ここで図１６（Ｃ）の第１のＲＯＭ部とＲＡＭ部の反射膜としては、位相ピットの読出しに必要な反射膜を確保するため、例えば３０〜７０％の範囲に反射率を調整している。このような反射率の調整によりその背後に位置する図１６（Ｂ）の第２のＲＯＭ部とＲＡＭ部に対しても、反射膜３００による位相ピットの読出しに可能なレーザー光量の入射が得られ、反射膜３００としては例えば８０％以上の反射率を持たせることで、十分な位相ピットの読出しを可能とする。
【０１０２】
もちろん２段階のＲＯＭ部とＲＡＭ部における反射率はその膜厚を調整することで必要とする適宜の反射率を決めることができる。この図１６のような二重構造を持つ光ディスク１２にあっては、図３の構造を持つ光ディスク１２に対し、その記録容量を２倍にすることができる。
【０１０３】
また図１６の二重構造を持つ光ディスク１２にあっては図１６（Ａ）に示すように記録部の厚さ方向の位置に対応してレーザービーム２８２またはレーザービーム２８４のようにフォーカス位置を調整することで二重化されたいずれか一方ＲＯＭ部とＲＡＭ部の同期記録及び同期再生を行なうことができる。
【０１０４】
尚、上記の実施形態は１つのＲＯＭ部に対し、ＲＡＭ部を３つの情報記録エリアに分割した場合を例にとっているが、この分割数は２以上であればよく、必要に応じて適宜の分割数とすることができる。この関係は１つのＲＡＭ部に対し、ＲＯＭ部を３つの情報記録エリアに分割した場合についても同様である。
【０１０５】
また上記の実施形態は音楽情報の記録再生を例にとるものであったが、音楽情報以外の例えば画像情報の記録再生についても、まったく同様に適用することができる。また本発明は上記の実施形態に限定されず、その目的と利点を損なうことのない適宜の変形を含み、更に上記の実施形態に示した数値による限定は受けない。
【図面の簡単な説明】
【０１０６】
【図１】本発明の光ディスク及び記録再生装置を用いた多重記録再生システムの説明図
【図２】図１の記録再生装置の説明図
【図３】本発明による光ディスクの構造説明図
【図４】本発明の光ディスクにおけるＲＯＭ信号とＲＡＭ信号の多重記録状態の説明図
【図５】本発明の光ディスクにおける記録領域の説明図
【図６】ＲＡＭ部がＲＯＭ部と同期再生可能な３つの記録情報エリアに分割された本発明の光ディスクにおける記録構造の説明図
【図７】図６に基づく具体的に媒体フォーマットの説明図
【図８】本発明の光ディスクでミクシング情報を記録するＴＯＣ領域の説明図
【図９】図６のＴＯＣ領域の媒体フォーマットの説明図
【図１０】本発明による記録再生装置のブロック図
【図１１】ＲＯＭ部がＲＡＭ部と同期再生可能な３つの記録情報エリアに分割された本発明の光ディスクにおける記録構造の説明図
【図１２】ＲＡＭ部が２つのＲＯＭ部と同期再生可能な３つの記録情報エリアに分割された本発明の光ディスクにおける記録構造の説明図
【図１３】円周方向についてＲＡＭ部がＲＯＭ部と同期再生可能な３つの記録情報エリアに分割された本発明の光ディスクにおける記録構造の説明図
【図１４】ＲＡＭ部とＲＯＭ部を内周側と外周側に分割した本発明の光ディスクの説明図
【図１５】はＲＡＭ部とＲＯＭ部を円周方向に分割した本発明の光ディスクの説明図
【図１６】ＲＯＭ部とＲＡＭ部の多重記録構造を媒体厚み方向で二重化した本発明の光ディスクの説明図
【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
光反射率を利用した位相ピットで情報が記録されたＲＯＭ部と、記録及び再生可能なＲＡＭ部とが前記ＲＯＭ部の信号読み出しと同時に信号記録又は再生が行えるように厚み方向に層状に配置された光ディスクに於いて、 一つの前記ＲＯＭ部に対して、該ＲＯＭ部の下層に配置された前記ＲＡＭ部はトラック方向に複数の情報記録エリアに分割されてなり、 前記ＲＡＭ部の信号のマーク長は前記ＲＯＭ部のマーク長の整数倍であることを特徴とする光ディスク。
【請求項２】
光反射率を利用した位相ピットで情報が記録されたＲＯＭ部と、記録及び再生可能なＲＡＭ部とが前記ＲＯＭ部の信号読み出しと同時に信号記録又は再生が行えるように厚み方向に層状に配置された光ディスクに於いて、 一つの前記ＲＯＭ部に対して、該ＲＯＭ部の下層に配置された前記ＲＡＭ部はトラック方向に複数の情報記録エリアに分割されてなり、 前記ＲＯＭ部の信号は非圧縮で記録され、前記ＲＡＭ部の信号は圧縮して記録され、前記ＲＯＭ部の情報記録エリアに対応する前記ＲＡＭ部の複数の情報記録エリアの合計時間を略同じとすることを特徴とする光ディスク。
【請求項３】
光反射率を利用した位相ピットで情報が記録されたＲＯＭ部と、記録及び再生可能なＲＡＭ部とが前記ＲＯＭ部の信号読み出しと同時に信号記録又は再生が行えるように厚み方向に層状に配置され、一つの前記ＲＯＭ部に対して、該ＲＯＭ部の下層に配置された前記ＲＡＭ部はトラック方向に複数の情報記録エリアに分割されてなる光ディスクに対して記録再生する記録再生装置に於いて、 前記ＲＯＭ部の情報記録エリアに記録した信号とＲＡＭ部の情報記録エリアに記録した信号を再生してミキシングを行うときのミキシング条件を調整して該ミキシング条件を記憶するミキシング条件記憶部と、 ＲＯＭ部の情報記録エリアに対応した信号を格納する第１のバッファメモリと、  ＲＡＭ部の複数の情報記録エリアに対応した信号をそれぞれ格納する第２のバッファメモリと、 前記ミキシング条件記憶部の記憶内容に従って前記第１のバッファメモリの出力と前記第２のバッファメモリの出力を同期合成してミキシングを行うミキシング回路とを備えたことを特徴とする記録再生装置。
【請求項４】
光反射率を利用した位相ピットで情報が記録されたＲＯＭ部と、記録及び再生可能なＲＡＭ部とが前記ＲＯＭ部の信号読み出しと同時に信号記録又は再生が行えるように厚み方向に層状に配置され、一つの前記ＲＡＭ部に対して、該ＲＡＭ部の上層に配置された前記ＲＯＭ部はトラック方向に複数の情報記録エリアに分割されてなる光ディスクに対して記録再生する記録再生装置に於いて、 前記ＲＯＭ部の情報記録エリアに記録した信号とＲＡＭ部の情報記録エリアに記録した信号を再生してミキシングを行うときのミキシング条件を調整して該ミキシング条件を記憶するミキシング条件記憶部と、 ＲＡＭ部の情報記録エリアに対応した信号を格納する第１のバッファメモリと、 ＲＯＭ部の複数の情報記録エリアに対応した信号をそれぞれ格納する第２のバッファメモリと、 前記ミキシング条件記憶部の記憶内容に従って前記第１のバッファメモリの出力と前記第２のバッファメモリの出力を同期合成してミキシングを行うミキシング回路とを備えたことを特徴とする記録再生装置。
【請求項５】
請求項３又は４に記載の記録再生装置に於いて、 ミキシング条件記憶部は光ディスク上に備えていることを特徴とする記録再生装置。
【請求項６】
請求項５に記載の記録再生装置に於いて、 前記ミキシング情報は第１のバッファメモリ及び第２のバッファメモリへ供給される情報が記憶されているエリアと別のエリアに記録されることを特徴とする記録再生装置。
【手続補正２】
【補正対象書類名】明細書
【補正対象項目名】００１０
【補正方法】変更
【補正の内容】
【００１０】  一方、１枚の媒体にＲＯＭ部とＲＡＭ部を設けたコカレントＲＯＭ／ＲＡＭ方式のディスクは、一部の専門家に限られていた多重録音、同時再生機能を安価に実現させる可能性を秘めている。例えば位相ピットによるＲＯＭ分に予め記録されている音楽あるいは画像情報に同期させて同じ位置に別の音楽あるいは画像情報をＲＡＭ部に記録する方法が提案されている（特許文献１）。また、パーシャルＲＯＭ方式を用いて分割記録された音楽情報を時間的に同期再生する方法も提案されている（特許文献２，３）。いずれの提案も音楽情報の時間的な同期に関する方法でありミキシング時の出力比、あるいは波形調整については不明である。【特許文献１】特開平０７−０６５３７５号公報
【特許文献２】特開平０５−１５１７５８号公報
【特許文献３】特開平１１−０７７２９号公報
【手続補正３】
【補正対象書類名】明細書
【補正対象項目名】００３１
【補正方法】変更
【補正の内容】
【００３１】  このような本発明の光ディスク及び記録再生装置において一つのＲＯＭ部に対して複数のＲＡＭ部を設けたものによれば、ＲＯＭ部にはＲＯＭ情報として例えば楽器の演奏パート痛いのドラム、ベース、ギター、コーラス、ボーカルなどの音楽情報を予め記録しておき、楽器の演奏はＲＯＭ部に記録された音楽情報を聞きながらそれに合わせて行う。そして音楽情報の再生と同時に楽器の演奏を同じディスクのＲＡＭ分に同期記録する。この場合、楽器を変えたり、同じ楽器の演奏を繰り返すなどして別々のＲＡＭ部に同期記録できる。同期記録が済んだ後はＲＯＭ部及び複数のＲＡＭ部に多重記録した音楽情報を同期再生して合成出力する多重再生が簡単にできる。その結果、これまで一部の専門家に限られていた多重録音機能を手軽に安価に実現することが可能となる。 また、一つのＲＡＭ部に対して複数のＲＯＭ部を設けたものも類似した使い方ができる。すなわち、ＲＯＭ部にはＲＯＭ情報として例えば楽器の演奏パート以外のドラム、ベース、ギター、コーラス、ボーカルなどの音楽情報を予め記録しておくが、一つのＲＯＭ部しかないものは予め記録しておく音楽情報が一種類に限定されるが、複数のＲＯＭ部を有するものは予め複数記録させておくことが可能になる。そして、ＲＡＭ分は一つであるから前述のように楽器を変えたり、同じ楽器の演奏を繰り返すなどして別々のＲＡＭに記録することはできないが、ＲＡＭ部に記録し直すことで同様のことが行える。 同期記録が済んだ後は複数のＲＯＭ部及び一つのＲＡＭ部に多重記録した音楽情報を同期再生して合成出力する多重再生が簡単にできる。従って複数のＲＯＭ部を有する装置でも複数のＲＡＭ部を有する装置と類似の使い方ができる。
【国際調査報告】
2005052938.tif 000019
2005052938.tif 000020
2005052938.tif 000021
2005052938.tif 000022